(57)【要約】【課題】編集を迅速に行うことができるようにする。【解決手段】音声データＡが１以上の任意の整数個のセクタに記録される。画像データＶは、それに続く、連続する、任意の整数個のセクタに記録される。例えば、セクタ＃１に音声データＡが、続くセクタ＃２，＃３，＃４，＃５に画像データＶが、続くセクタ＃６，＃７に音声データＡが、順次記録される。すなわち、音声データＡおよび画像データＶが、年輪を形成するようにして、光ディスク１１に記録される。本発明は、例えば、光ディスクを駆動するディスク装置などに適用することができる。【選択図】　　　図７
2004005895.tif 000002
【特許請求の範囲】
【請求項１】
複数のデータ系列を、記録媒体に記録する制御を行う記録制御装置において、
前記複数のデータ系列それぞれから、前記記録媒体の物理的単位領域の整数倍のデータ量である所定のデータ量のデータを抽出するデータ抽出手段と、
前記複数のデータ系列それぞれについての前記所定のデータ量ごとのデータを、そのデータの境界と、前記物理的単位領域の境界とが一致し、かつ前記複数のデータ系列それぞれについての前記所定のデータ量ごとのデータが周期的に配置されるように、前記記録媒体に記録する記録制御を行う記録制御手段と
を備えることを特徴とする記録制御装置。
【請求項２】
前記所定のデータ量は、前記記録媒体の物理的単位領域の整数倍のデータ量であり、かつ所定の再生時間分の再生に必要なデータ量に近いデータ量である
ことを特徴とする請求項１に記載の記録制御装置。
【請求項３】
前記所定の再生時間は、前記複数のデータ系列のうちの１のデータ系列と、他の１のデータ系列とで異なる
ことを特徴とする請求項２に記載の記録制御装置。
【請求項４】
前記データ抽出手段が、前記データ系列について、前記所定のデータ量ごとのデータを抽出した結果残ったデータに、パディング用のパディングデータを付加することにより、前記記録媒体の物理的単位領域の整数倍のデータ量のデータを生成するパディングデータ付加手段をさらに備える
ことを特徴とする請求項１に記載の記録制御装置。
【請求項５】
前記複数のデータ系列のうちの１のデータ系列と、他の１のデータ系列とは、互いに関連するものである
ことを特徴とする請求項１に記載の記録制御装置。
【請求項６】
前記複数のデータ系列は、画像と、その画像に付随する音声との２つのデータ系列を、少なくとも含む
ことを特徴とする請求項５に記載の記録制御装置。
【請求項７】
前記複数のデータ系列は、所定の画像と、その所定の画像のデータ量を少なくした画像である少画像との２つデータ系列を、少なくとも含む
ことを特徴とする請求項５に記載の記録制御装置。
【請求項８】
前記所定の画像から、前記少画像を生成する画像生成手段をさらに備える
ことを特徴とする請求項７に記載の記録制御装置。
【請求項９】
前記複数のデータ系列は、画像と、その画像についてのメタデータとの２つのデータ系列を、少なくとも含む
ことを特徴とする請求項５に記載の記録制御装置。
【請求項１０】
前記複数のデータ系列は、
所定の画像のデータ系列と、
前記所定の画像に付随する音声のデータ系列と、
前記所定の画像のデータ量を少なくした画像である少画像のデータ系列と、
前記所定の画像についてのメタデータのデータ系列と
のうちの２以上を含み、
前記所定のデータ量は、前記記録媒体の物理的単位領域の整数倍のデータ量であり、かつ所定の再生時間分の再生に必要なデータ量に近いデータ量であり、
前記所定の再生時間は、前記所定の画像のデータ系列または音声のデータ系列と、前記少画像のデータ系列またはメタデータのデータ系列とで異なる
ことを特徴とする請求項１に記載の記録制御装置。
【請求項１１】
前記物理的単位領域は、前記記録媒体について、データの読み書きを行うことができる１以上の最小の領域、またはＥＣＣ（Ｅｒｒｏｒ　ＣｏｒｒｅｃｔｉｏｎＣｏｄｅ：誤り訂正符号）処理が施される単位のデータが記録される１以上のＥＣＣブロックである
ことを特徴とする請求項１に記載の記録制御装置。
【請求項１２】
複数のデータ系列を、記録媒体に記録する制御を行う記録制御方法において、
前記複数のデータ系列それぞれから、前記記録媒体の物理的単位領域の整数倍のデータ量である所定のデータ量のデータを抽出するデータ抽出ステップと、
前記複数のデータ系列それぞれについての前記所定のデータ量ごとのデータを、そのデータの境界と、前記物理的単位領域の境界とが一致し、かつ前記複数のデータ系列それぞれについての前記所定のデータ量ごとのデータが周期的に配置されるように、前記記録媒体に記録する記録制御を行う記録制御ステップと
を備えることを特徴とする記録制御方法。
【請求項１３】
複数のデータ系列を、記録媒体に記録する制御を行う記録制御処理を、コンピュータに行わせるプログラムにおいて、
前記複数のデータ系列それぞれから、前記記録媒体の物理的単位領域の整数倍のデータ量である所定のデータ量のデータを抽出するデータ抽出ステップと、
前記複数のデータ系列それぞれについての前記所定のデータ量ごとのデータを、そのデータの境界と、前記物理的単位領域の境界とが一致し、かつ前記複数のデータ系列それぞれについての前記所定のデータ量ごとのデータが周期的に配置されるように、前記記録媒体に記録する記録制御を行う記録制御ステップと
を備えることを特徴とするプログラム。
【請求項１４】
複数のデータ系列が記録されている記録媒体において、
前記複数のデータ系列それぞれから抽出された、前記記録媒体の物理的単位領域の整数倍のデータ量である所定のデータ量ごとのデータを、そのデータの境界と、前記物理的単位領域の境界とが一致し、かつ前記複数のデータ系列それぞれについての前記所定のデータ量ごとのデータが周期的に配置されるように記録している
ことを特徴とする記録媒体。
【発明の詳細な説明】
【０００１】
【発明の属する技術分野】
本発明は、記録制御装置および記録制御方法、プログラム、並びに記録媒体に関し、特に、例えば、編集処理を迅速に行うこと等ができるようにする記録制御装置および記録制御方法、プログラム、並びに記録媒体に関する。
【０００２】
【従来の技術】
従来、音声データＡおよび画像データＶは、図１に示されるように、音声データＡ（図中、陰が付されて表されているデータ）および画像データＶ（図中、白抜きで表されているデータ）が、例えば、光ディスクなどの記録媒体上に形成される物理的記録再生単位としての１つのセクタ内に混在して記録される。なお図１中、太い線の仕切りＢは、セクタの境界を表している。また、音声データＡは、Ａ１−１，Ａ２−１の順に再生され、画像データＶは、Ｖ１−１，Ｖ１−２，Ｖ２−１，Ｖ２−２の順に再生されるものである。
【０００３】
しかしながら、この従来の記録方法では、このように小さな音声データＡおよび画像データＶが、セクタ内の空いた領域に離散的に配置されるので、例えば、図１の音声データＡ１−１，Ａ２−１の全部または一部を、他の音声データＡと置き換える編集を行う場合（例えば、音声データＡ１−１，Ａ２−１に他の音声データＡを上書きする場合）、データの読み出しは、記録媒体の内周側から外周側に向けてセクタ単位で行われることから、音声データＡ１−１，Ａ２−１の他、この編集では必要とされないが音声データＡ１−１，Ａ２−１と同じセクタ内に配置されている画像データＶ１−１，Ｖ１−２，Ｖ２−１，Ｖ２−２が読み出される。すなわち音声信号に比べてデータ量が大きい無駄な画像信号が読み出される分、編集処理を迅速に行うことが困難である。
【０００４】
そこで、例えば、特許文献１では、光ディスクの記録領域を同心円状に分割して得られる各領域に、ビデオデータとオーディオデータを記録することにより、ビデオデータとオーディオデータそれぞれを、ある程度連続して記録することが記載されている。
【０００５】
【特許文献１】
特開平１１−９８４４７号公報。
【０００６】
【発明が解決しようとする課題】
ところで、光ディスクなどへのデータの記録パターンは、その光ディスクの用途や使用目的などにあわせたものとするのが望ましい。
【０００７】
本発明はこのような状況に鑑みてなされたものであり、例えば、編集処理を迅速に行うことができるようにする等の、記録媒体の利便性を向上させることができるようにするものである。
【０００８】
【課題を解決するための手段】
本発明の記録制御装置は、複数のデータ系列それぞれから、記録媒体の物理的単位領域の整数倍のデータ量である所定のデータ量のデータを抽出するデータ抽出手段と、複数のデータ系列それぞれについての所定のデータ量ごとのデータを、そのデータの境界と、物理的単位領域の境界とが一致し、かつ複数のデータ系列それぞれについての所定のデータ量ごとのデータが周期的に配置されるように、記録媒体に記録する記録制御を行う記録制御手段とを備えることを特徴とする。
【０００９】
本発明の記録制御方法は、複数のデータ系列それぞれから、記録媒体の物理的単位領域の整数倍のデータ量である所定のデータ量のデータを抽出するデータ抽出ステップと、複数のデータ系列それぞれについての所定のデータ量ごとのデータを、そのデータの境界と、物理的単位領域の境界とが一致し、かつ複数のデータ系列それぞれについての所定のデータ量ごとのデータが周期的に配置されるように、記録媒体に記録する記録制御を行う記録制御ステップとを備えることを特徴とする。
【００１０】
本発明のプログラムは、複数のデータ系列それぞれから、記録媒体の物理的単位領域の整数倍のデータ量である所定のデータ量のデータを抽出するデータ抽出ステップと、複数のデータ系列それぞれについての所定のデータ量ごとのデータを、そのデータの境界と、物理的単位領域の境界とが一致し、かつ複数のデータ系列それぞれについての所定のデータ量ごとのデータが周期的に配置されるように、記録媒体に記録する記録制御を行う記録制御ステップとを備えることを特徴とする。
【００１１】
本発明の記録媒体は、複数のデータ系列それぞれから抽出された、記録媒体の物理的単位領域の整数倍のデータ量である所定のデータ量ごとのデータを、そのデータの境界と、物理的単位領域の境界とが一致し、かつ複数のデータ系列それぞれについての所定のデータ量ごとのデータが周期的に配置されるように記録していることを特徴とする。
【００１２】
本発明の記録制御装置および記録制御方法、並びにプログラムにおいては、複数のデータ系列それぞれから、記録媒体の物理的単位領域の整数倍のデータ量である所定のデータ量のデータが抽出され、複数のデータ系列それぞれについての所定のデータ量ごとのデータが、そのデータの境界と、物理的単位領域の境界とが一致し、かつ複数のデータ系列それぞれについての所定のデータ量ごとのデータが周期的に配置されるように、記録媒体に記録される。
【００１３】
本発明の記録媒体においては、複数のデータ系列それぞれから抽出された、記録媒体の物理的単位領域の整数倍のデータ量である所定のデータ量ごとのデータが、そのデータの境界と、物理的単位領域の境界とが一致し、かつ複数のデータ系列それぞれについての所定のデータ量ごとのデータが周期的に配置されるように記録されている。
【００１４】
【発明の実施の形態】
図２は、本発明を適用した、ディスク記録再生装置（ディスク装置）１０の一実施の形態の構成例を示している。
【００１５】
スピンドルモータ１２は、サーボ制御部１５からのスピンドルモータ駆動信号に基づいて、光ディスク１１をＣＬＶ（Ｃｏｎｓｔａｎｔ　Ｌｉｎｅａｒ　Ｖｅｌｏｃｉｔｙ）またはＣＡＶ（Ｃｏｎｓｔａｎｔ　Ａｎｇｕｌａｒ　Ｖｅｌｏｃｉｔｙ）で回転駆動する。
【００１６】
ピックアップ部１３は、信号処理部１６から供給される記録信号に基づきレーザ光の出力を制御して、光ディスク１１に記録信号を記録する。ピックアップ部１３はまた、光ディスク１１にレーザ光を集光して照射するとともに、光ディスク１１からの反射光を光電変換して電流信号を生成し、ＲＦ（Ｒａｄｉｏ　Ｆｒｅｑｕｅｎｃｙ）アンプ１４に供給する。なお、レーザ光の照射位置は、サーボ制御部１５からピックアップ部１３に供給されるサーボ信号により所定の位置に制御される。
【００１７】
ＲＦアンプ１４は、ピックアップ部１３からの電流信号に基づいて、フォーカス誤差信号およびトラッキング誤差信号、並びに再生信号を生成し、トラッキング誤差信号およびフォーカス誤差信号をサーボ制御部１５に供給し、再生信号を信号処理部１６に供給する。
【００１８】
サーボ制御部１５は、フォーカスサーボ動作やトラッキングサーボ動作の制御を行う。具体的には、サーボ制御部１５は、ＲＦアンプ１４からのフォーカス誤差信号とトラッキング誤差信号に基づいてフォーカスサーボ信号とトラッキングサーボ信号をそれぞれ生成し、ピックアップ部１３のアクチュエータ（図示せず）に供給する。またサーボ制御部１５は、スピンドルモータ１２を駆動するスピンドルモータ駆動信号を生成して、光ディスク１１を所定の回転速度で回転させるスピンドルサーボ動作の制御を行う。
【００１９】
さらにサーボ制御部１５は、ピックアップ部１３を光ディスク１１の径方向に移動させてレーザ光の照射位置を変えるスレッド制御を行う。なお、光ディスク１１の信号読み出し位置の設定は、制御部２０によって行われ、設定された読み出し位置から信号を読み出すことができるようにピックアップ部１３の位置が制御される。
【００２０】
信号処理部１６は、メモリコントローラ１７から入力される記録データを変調して記録信号を生成し、ピックアップ部１３に供給する。信号処理部１６はまた、ＲＦアンプ１４からの再生信号を復調して再生データを生成し、メモリコントローラ１７に供給する。
【００２１】
メモリコントローラ１７は、データ変換部１９からの記録データを、後述するように、適宜、メモリ１８に記憶するとともに、それを読み出し、信号処理部１６に供給する。メモリコントローラ１７はまた、信号処理部１６からの再生データを、適宜、メモリ１８に記憶するとともに、それを読み出し、データ変換部１９に供給する。
【００２２】
データ変換部１９は、信号入出力装置３１から供給される、ビデオカメラ（図示せず）で撮影された撮影画像と音声の信号や、記録媒体（図示せず）から再生された信号を、必要に応じて、例えば、ＭＰＥＧ　（Ｍｏｖｉｎｇ　Ｐｉｃｔｕｒｅ　Ｅｘｐｅｒｔｓ　Ｇｒｏｕｐ）、ＪＰＥＧ　（Ｊｏｉｎｔ　Ｐｈｏｔｏｇｒａｐｈｉｃ　Ｅｘｐｅｒｔｓ　Ｇｒｏｕｐ）等の方式に基づいて圧縮して記録データを生成し、メモリコントローラ１７に供給する。
【００２３】
データ変換部１９はまた、メモリコントローラ１７から供給される再生データを、必要に応じて伸張し、所定のフォーマットの出力信号に変換して、信号入出装置３１に供給する。
【００２４】
制御部２０は、操作部２１からの操作信号などに基づき、サーボ制御部１５、信号処理部１６、メモリコントローラ１７、およびデータ変換部１９を制御し、記録再生処理を実行させる。
【００２５】
操作部２１は、例えば、ユーザによって操作され、その操作に対応する操作信号を、制御部２０に供給する。
【００２６】
以上のように構成されるディスク記録再生装置１０では、ユーザが操作部２１を操作することにより、データの記録を指令すると、信号入出力装置３１から供給されるデータが、データ変換部１９、メモリコントローラ１７、信号処理部１６、およびピックアップ部１３を介して、光ディスク１１に供給されて記録される。
【００２７】
また、ユーザが操作部２１を操作することにより、データの再生を指令すると、光ディスク１１から、ピックアップ部１３、ＲＦアンプ１４、信号処理部１６、メモリコントローラ１７、およびデータ変換部１９を介して、データが読み出されて再生され、信号入出力装置３１に供給される。
【００２８】
次に、図３は、図２のデータ変換部１９の構成例を示している。
【００２９】
光ディスク１１へのデータの記録時には、信号入出力装置３１から記録すべき信号が、デマルチプレクサ４１に供給される。デマルチプレクサ４１は、信号入出力装置３１から供給される信号から、関連する複数のデータ系列、即ち、例えば、動画の（例えばベースバンドの）画像信号と、その画像信号に付随する（例えばベースバンドの）音声信号とを分離し、データ量検出部４２に供給する。
【００３０】
データ量検出部４２は、デマルチプレクサ４１から供給される画像信号と音声信号を、そのまま、画像信号変換部４３と音声信号変換部４４にそれぞれ供給するとともに、その画像信号と音声信号のデータ量を検出し、メモリコントローラ１７に供給する。即ち、データ量検出部４２は、デマルチプレクサ４１から供給される画像信号と音声信号それぞれについて、例えば、所定の再生時間分のデータ量を検出し、メモリコントローラ１７に供給する。
【００３１】
画像信号変換部４３は、データ量検出部４２から供給される画像信号を、例えば、すべてのフレームをＩ（Ｉｎｔｒａ）ピクチャとしてＭＰＥＧエンコードし、その結果得られる画像データのデータ系列を、メモリコントローラ１７に供給する。また、音声信号変換部４３は、データ量検出部４２から供給される音声信号を、例えばＭＰＥＧエンコードし、その結果得られる音声データのデータ系列を、メモリコントローラ１７に供給する。
【００３２】
そして、メモリコントローラ１７に供給された画像データと音声データは、上述したようにして、光ディスク１１に供給されて記録される。
【００３３】
一方、光ディスク１１からのデータの再生時においては、上述したようにして、光ディスク１１から画像データまたは音声データが読み出され、画像データは、メモリコントローラ１７から画像データ変換部４５に、音声データは、メモリコントローラ１７から音声データ変換部４６に供給される。
【００３４】
画像データ変換部４５は、メモリコントローラ１７から供給される画像データのデータ系列を、例えばＭＰＥＧデコードし、その結果得られる画像信号を、マルチプレクサ４７に供給する。また、音声データ変換部４６は、メモリコントローラ１７から供給される音声データのデータ系列を、例えばＭＰＥＧデコードし、その結果得られる音声信号を、マルチプレクサ４７に供給する。
【００３５】
マルチプレクサ４７は、画像データ変換部４５から供給される画像信号と、音声データ変換部４６から供給される音声信号を、信号入出力装置３１に供給する。なお、マルチプレクサ４７は、光ディスク１１から、画像データまたは音声データだけが読み出され、これにより、画像データ変換部４５または音声データ変換部４６から画像信号または音声信号だけが供給される場合には、その画像信号または音声信号だけを、信号入出力装置３１に供給する。また、マルチプレクサ４７は、光ディスク１１から、画像データと音声データの両方が読み出され、これにより、画像データ変換部４５と音声データ変換部４６から、それぞれ、画像信号と音声信号が供給される場合には、その画像信号と音声信号を、例えば多重化して、信号入出力装置３１に供給する。但し、マルチプレクサ４７では、画像信号と音声信号を、独立に、並列して出力することも可能である。
【００３６】
次に、音声データＡおよび画像データＶを光ディスク１１に記録する場合の図１の制御部２０の動作を、図４のフローチャートを参照して説明する。
【００３７】
操作部２１が操作されることによって、記録処理開始を指令する旨の操作信号が、操作部２１から制御部２０に供給されると、制御部２０は、記録処理を開始する。
【００３８】
即ち、制御部２０は、まず最初に、ステップＳ１において、音声年輪サイズＴｓａと画像年輪サイズＴｓｖとを設定する。
【００３９】
ここで、音声年輪サイズＴｓａは、光ディスク１１にひとまとめで配置して記録する音声データＡのデータ量を決定する変数で、例えば、音声信号の再生時間によって表される。画像年輪サイズＴｓｖも、同様に、光ディスク１１にひとまとめで配置して記録する画像データＶのデータ量を決定する変数で、例えば、画像信号の再生時間によって表される。
【００４０】
なお、音声年輪サイズＴｓａと画像年輪サイズＴｓｖを、例えば、ビット数やバイト数などのデータ量そのものによって表すのではなく、再生時間によって、いわば間接的に表すようにしたのは、次のような理由による。
【００４１】
即ち、図４の記録処理によれば、後述するように、光ディスク１１には、音声データＡの系列から抽出された音声年輪サイズＴｓａに基づくデータ量ごとの音声データのまとまりである音声年輪データと、画像データＶの系列から抽出された画像年輪サイズＴｓｖに基づくデータ量ごとの画像データのまとまりである画像年輪データとが周期的に配置されて記録される。
【００４２】
このように、光ディスク１１に、音声年輪データと画像年輪データとが周期的に配置されて記録される場合、画像と音声の再生を考えると、その再生は、画像信号とその画像信号に付随する音声信号とが揃わないと行うことができない。かかる再生の観点からは、ある再生時間帯の音声年輪データと、その再生時間帯の画像年輪データとは、光ディスク１１上の近い位置、即ち、例えば、隣接する位置に記録すべきである。
【００４３】
しかしながら、同一の再生時間分の音声データＡと画像データＶのデータ量を比較した場合、それらのデータ量は、一般に大きく異なる。即ち、ある再生時間分の音声データＡのデータ量は、その再生時間分の画像データＶのデータ量に比較してかなり少ない。さらに、音声データＡや画像データＶのデータレートが、固定ではなく、可変となっているケースもある。
【００４４】
従って、音声年輪サイズＴｓａと画像年輪サイズＴｓｖを、データ量で表し、そのデータ量ごとの音声年輪データと画像年輪データを、音声データＡと画像データＶの系列それぞれから順次抽出すると、各再生時間帯の画像年輪データに対して、再生時刻が徐々に進んだ（先の）再生時間帯の音声年輪データが得られるようになり、その結果、同一の再生時間帯に再生されるべき音声データと画像データとを、光ディスク１１上の近い位置に配置することが困難となる。
【００４５】
一方、音声年輪サイズＴｓａと画像年輪サイズＴｓｖを、再生時間で表し、その再生時間分のデータ量ごとの音声年輪データと画像年輪データを、音声データＡと画像データＶの系列それぞれから順次抽出した場合には、同じような再生時間帯の音声年輪データと画像年輪データとをセットで得ることができ、その結果、同一の再生時間帯に再生されるべき音声データと画像データとを、近い位置に配置することができる。
【００４６】
ここで、音声年輪サイズＴｓａは、それが表す再生時間分のデータ量の音声年輪データを、光ディスク１１から読み出すよりは、シークして読み飛ばした方が早くなるような値とするのが望ましい。画像年輪サイズＴｓｖも、同様であり、そのような画像年輪サイズＴｓｖは、本件発明者の経験上、例えば、１．５秒から２秒程度である。
【００４７】
また、同じような再生時間帯の音声年輪データと画像年輪データとを構成する場合には、音声年輪サイズＴｓａと画像年輪サイズＴｓｖを、同一の値とすればよく、この場合、同じような再生時間帯の音声年輪データと画像年輪データは、上述の再生の観点から、光ディスク１１上に、交互に配置するのが望ましい。
【００４８】
さらに、音声年輪サイズＴｓａと画像年輪サイズＴｓｖは、異なる値とすることが可能であり、音声データのデータレートが画像データのデータレートよりもかなり低いことが一般的であることを考えると、音声年輪サイズＴｓａは、画像年輪サイズＴｓｖの、例えば２倍などにすることが可能である。この場合、ある１つの音声年輪データに対して、その再生時間帯と同じような再生時間帯の画像年輪データは２つとなるが、この１つの音声年輪データと、対応する２つの画像年輪データとは、上述の再生の観点からは、やはり、光ディスク１１上の近い位置に配置するのが望ましい。具体的には、１つの音声年輪データと、対応する２つの画像年輪データとは、例えば、音声年輪データ、対応する２つの画像年輪データのうちの一方、その他方という順番や、２つの画像年輪データのうちの一方、音声年輪データ、２つの画像年輪データのうちの他方という順番で、周期的に配置するのが望ましい。
【００４９】
なお、ステップＳ１で設定する音声年輪サイズＴｓａと画像年輪サイズＴｓｖの値は、あらかじめ定められた固定の値でも良いし、可変の値でも良い。音声年輪サイズＴｓａと画像年輪サイズＴｓｖの値を可変とする場合には、その可変の値は、例えば、操作部２１を操作することによって入力するようにすることができる。
【００５０】
ステップＳ１の処理後は、ステップＳ２に進み、制御部２０は、データ変換部１９を制御して、信号入出力装置３１からディスク記録再生装置１０に供給される音声信号と画像信号を圧縮符号化して、音声データＡの系列と画像データＶの系列とする音声信号変換処理と画像信号変換処理をそれぞれ開始させるとともに、メモリコントローラ１７を制御して、データ変換部１９で得られた音声データＡと画像データＶをメモリ１８に供給して記憶させる音声データ記憶処理と画像データ記憶処理をそれぞれ開始させる。
【００５１】
そして、ステップＳ３に進み、制御部２０は、音声データＡを光ディスク１１に記録させる制御タスクである音声データ記録タスクを開始し、ステップＳ４に進む。ステップＳ４では、制御部２０は、画像データＶを光ディスク１１に記録させる制御タスクである画像データ記録タスクを開始し、ステップＳ５に進む。なお、音声データ記録タスクと画像データ記録タスクの詳細については、後述する。
【００５２】
ステップＳ５では、制御部２０は、操作部２１から、データの記録の終了を指令する操作信号が供給されたかどうかを判定する。ステップＳ５において、データの記録の終了を指令する操作信号が供給されていないと判定された場合、ステップＳ６に進み、制御部２０は、すべての記録タスクが終了したかどうかを判定する。ステップＳ６において、すべての記録タスクが終了していないと判定された場合、ステップＳ５に戻り、以下、同様の処理が繰り返される。
【００５３】
また、ステップＳ６において、すべての記録タスクが終了したと判定された場合、即ち、ステップＳ３で開始された音声データ記録タスク、およびステップＳ４で開始された画像データ記録タスクの両方が終了している場合、記録処理を終了する。
【００５４】
一方、ステップＳ５において、データの記録の終了を指令する操作信号が供給されたと判定された場合、即ち、例えば、ユーザが、データの記録を終了するように、操作部２１を操作した場合、ステップＳ７に進み、制御部２０は、ステップＳ２で開始させた音声信号変換処理および画像信号変換処理、並びに音声データ記憶処理および画像データ記憶処理を終了させ、ステップＳ８に進む。
【００５５】
ステップＳ８では、ステップＳ６における場合と同様に、すべての記録タスクが終了したかどうかを判定する。ステップＳ８において、すべての記録タスクが終了していないと判定された場合、ステップＳ８に戻り、すべての記録タスクが終了するまで待ち時間がおかれる。
【００５６】
そして、ステップＳ８において、すべての記録タスクが終了したと判定された場合、即ち、ステップＳ３で開始された音声データ記録タスク、およびステップＳ４で開始された画像データ記録タスクが終了した場合、記録処理を終了する。
【００５７】
次に、図５のフローチャートを参照して、図４のステップＳ３で開始される音声データ記録タスクについて説明する。
【００５８】
音声データ記録タスクが開始されると、まず最初に、ステップＳ１１において、制御部２０は、後述するステップＳ１７の処理で、１ずつインクリメントされる変数Ｎａを、例えば１に初期化し、ステップＳ１２に進む。
【００５９】
ステップＳ１２では、制御部２０は、Ｔｓａ×Ｎａが、Ｔｓｖ×Ｎｖ以下であるかどうかを判定する。
【００６０】
ここで、Ｔｓａは、音声年輪サイズであり、音声信号の、ある再生時間を表す。また、変数Ｎａは、後述するように、音声年輪サイズＴｓａに基づくデータ量の音声データ（音声年輪データ）が光ディスク１１に記録されるごとに、１ずつインクリメントされていく。同様に、Ｔｓｖは、画像年輪サイズであり、変数Ｎｖは、後述するように、画像データ記録タスクにおいて、画像年輪サイズＴｓｖに基づくデータ量の画像データ（画像年輪データ）が光ディスク１１に記録されるごとに、１ずつインクリメントされていく。従って、Ｔｓａ×Ｎａは、音声データを、音声年輪サイズＴｓａ単位で記録していった場合に、これから光ディスク１１に記録しようとしている音声年輪データの最後の再生時刻に相当し、Ｔｓｖ×Ｎｖは、画像データを、画像年輪サイズＴｓｖ単位で記録していった場合に、これから光ディスク１１に記録しようとしている画像年輪データの最後の再生時刻に相当する。
【００６１】
一方、いま、音声年輪データと画像年輪データとを、同じような再生時間帯のものが、光ディスク１１上の近い位置に記録されるように、周期的に配置するものとする。さらに、同じような再生時間帯の音声年輪データと画像年輪データについては、例えば、音声年輪データが先に配置され、その後に、画像年輪データが配置されるものとする。
【００６２】
この場合、これから記録しようとする音声年輪データを、注目音声年輪データというものとすると、注目音声年輪データは、再生時刻Ｔｓａ×Ｎａ以前の最近の（再生時刻Ｔｓａ×Ｎａに最も近い）再生時間帯の音声年輪データとなるが、この注目音声年輪データは、再生時刻Ｔｓａ×Ｎａ以前の最近の再生時間帯の画像年輪データが記録される直前、つまり、再生時刻Ｔｓａ×Ｎａ以前の２番目に新しい再生時間帯の画像年輪データが記録された直後に記録する必要がある。
【００６３】
ところで、これから記録される画像年輪データは、Ｔｓｖ×Ｎｖ以前の最近の再生時間帯の画像年輪データである。従って、注目音声年輪データの記録は、音声年輪データの再生時刻Ｔｓａ×Ｎａが、画像年輪データの再生時刻Ｔｓｖ×Ｎｖ以下となっているタイミングで行う必要がある。
【００６４】
そこで、ステップＳ１２では、上述したように、音声年輪データの再生時刻Ｔｓａ×Ｎａが、画像年輪データの再生時刻Ｔｓｖ×Ｎｖ以下であるかどうかが判定され、これにより、現在のタイミングが、注目音声年輪データの記録を行うべきタイミングであるかどうかが判定される。
【００６５】
ステップＳ１２において、音声年輪データの再生時刻Ｔｓａ×Ｎａが、画像年輪データの再生時刻Ｔｓｖ×Ｎｖ以下（以前）でないと判定された場合、即ち、Ｔｓｖ×Ｎｖ以前の最近の再生時間帯の画像年輪データが、まだ記録されておらず、現在のタイミングが、注目音声年輪データの記録を行うべきタイミングでない場合、ステップＳ１２に戻り、以下、同様の処理が繰り返される。
【００６６】
また、ステップＳ１２において、音声年輪データの再生時刻Ｔｓａ×Ｎａが、画像年輪データの再生時刻Ｔｓｖ×Ｎｖ以下であると判定された場合、即ち、現在のタイミングが、注目音声年輪データの記録を行うべきタイミングである場合、ステップＳ１３に進み、制御部２０は、データ変換部１９からメモリコントローラ１７を介して、メモリ１８に、音声データＡが供給されているか否かを判定し、供給されていると判定した場合、ステップＳ１４に進む。
【００６７】
ステップＳ１４では、制御部２０は、メモリ１８に、通算して、音声年輪サイズＴｓａ×Ｎａ分の再生に必要な音声信号の音声データＡが記憶されたか否かを判定し、まだ、その分の音声データＡがメモリ１８に記憶されていないと判定された場合、ステップＳ１２に戻り、それ以降の処理が繰り返される。また、ステップＳ１４において、再生時間Ｔｓａ×Ｎａに対応する分の音声データＡがメモリ１８に記憶されたと判定された場合、処理はステップＳ１５に進む。
【００６８】
なお、データ変換部１９のデータ量検出部４２は、通算して、再生時間Ｔｓａ×Ｎａ分の再生に必要な音声信号を検出したとき、その旨を、メモリコントローラ１７に通知する。メモリコントローラ１７は、その通知に基づいて、通算して、再生時間Ｔｓａ×Ｎａ分の再生に必要な音声データＡをメモリ１８に記憶させたか否かの判定を行い、その判定結果を制御部２０に通知する。すなわち制御部２０は、メモリコントローラ１７からのその判定結果に基づいて、ステップＳ１４における判定を行う。なお、本実施の形態では、音声信号を圧縮符号化することによって得られる画像データがメモリ１８に記憶されることとしているが、音声信号は、圧縮符号化せずに、そのまま、音声データとして、メモリ１８に記憶させることも可能である。
【００６９】
ここで、図６は、メモリ１８に記憶される音声データＡの通算のデータ量（通算データ量）Ｌａと時間（再生時間）との関係を示している。なお、図６中右側の上下方向を示す小さな矢印（水平方向の点線の間隔を示す矢印）は、セクタのデータ量Ｓｕを表している。また、図６における点線Ｌｖは、後述する図９において実線で示してある、メモリ１８に記憶される画像データＶの通算のデータ量（通算データ量）Ｌｖを示している。さらに、図６では、音声データＡの通算データ量Ｌａが直線となっており、従って、音声データＡのデータレートが、固定であるものとしてある。但し、音声データＡは、可変のデータレートのものとすることが可能である。
【００７０】
図６において、例えば、Ｎａ＝１のときの時間Ｔｓａ×Ｎａ（＝１）分の再生に必要な音声データＡのデータ量は、ＡＮ１’である。従って、Ｎａ＝１のときのステップＳ１４では、通算データ量がＡＮ１’の音声データＡが、メモリ１８に記憶されたとき、再生時間Ｔｓａ×Ｎａに対応する分の音声データＡがメモリ１８に記憶されたと判定され、ステップＳ１５に進む。
【００７１】
ステップＳ１５では、制御部２０は、メモリコントローラ１７を制御して、メモリ１８に記憶されている音声データＡから、光ディスク１１上に形成される物理的記録再生単位（物理的単位領域）としての、例えば１つのセクタのデータ量Ｓｕの整数倍（ｎ倍）のデータ量であって、メモリ１８から読み出すことのできる最大のデータ量の音声データＡを、時間的に先に入力された方から読み出させることにより抽出し、ステップＳ１６に進む。なお、このセクタの整数倍のデータ量であって、メモリ１８から読み出すことのできる最大のデータ量の音声データＡとして、メモリ１８から読み出される音声年輪データが、上述した、再生時刻Ｔｓａ×Ｎａ以前の最近の音声年輪データである。
【００７２】
ここで、上述の図６において時刻が１×Ｔｓａのとき、メモリ１８には、少なくともデータ量ＡＮ１’の音声データＡが記憶されている。データ量ＡＮ１’は、１つのセクタのデータ量より大であるが、２つのセクタのデータ量より小であるため、ステップＳ１５では、１つのセクタのデータ量ＳｕであるＡＮ１分の音声データＡが、メモリ１８から、注目音声年輪データとして読み出されることにより抽出される。
【００７３】
なお、ステップＳ１５において読み出されなかった音声データ、即ち、図６の時刻が１×Ｔｓａのときにおいては、１つのセクタのデータ量Ｓｕに満たないデータ量Ａα１の音声データＡは、そのままメモリ１８に残される。
【００７４】
図５に戻り、ステップＳ１６では、制御部２０が、ステップＳ１５で得られた、セクタの整数倍のデータ量の注目音声年輪データを、メモリコントローラ１７から信号処理部１６に供給させ、これにより、そのセクタの整数倍のデータ量の注目音声年輪データが、その整数倍の数のセクタに記録されるように記録制御を行う。
【００７５】
ここで、図６の時刻が１×Ｔｓａのときには、１つのセクタのデータ量Ｓｕの音声データＡが、注目音声年輪データとして、メモリコントローラ１７から信号処理部１６に供給される。そして、この１つのセクタのデータ量Ｓｕの注目音声年輪データは、ピックアップ部１３に供給され、図７に示すように、光ディスク１１の１つのセクタであるセクタ＃１に、音声年輪データの境界と、光ディスク１１のセクタ＃１の境界とが一致するように記録される。
【００７６】
なお、ここでは、説明を簡単にするために、光ディスク１１には、物理的に連続した、十分大きな空き領域が存在するものとする。また、光ディスク１１に対するデータの読み書きが、例えば、その内周から外周方向に行われるものとすると、データの記録は、メモリコントローラ１７から信号処理部１６に供給されるデータの順番で、空き領域の内周側から外周側に連続して行われていくものとする。
【００７７】
ステップＳ１６において、上述のように、注目音声年輪データの記録制御が行われた後は、ステップＳ１７に進み、制御部２０は、変数Ｎａを１だけインクリメントし、ステップＳ１２に戻り、それ以降の処理を実行する。
【００７８】
一方、ステップＳ１３において、音声データＡがメモリ１８に供給されていないと判定された場合、即ち、データ変換部１９からメモリコントローラ１７への音声データＡの供給が停止した場合、ステップＳ１８に進み、制御部２０は、メモリコントローラ１７を制御することにより、メモリ１８にいま残っている音声データＡのすべてを読み出し、そのデータ量がセクタの整数倍の最小のデータ量となるように、音声データＡに、パディング用のパディング（ＰＡＤＤＩＮＧ）データを付加する。これにより、メモリ１８から読み出された音声データＡは、セクタの整数倍のデータ量の音声年輪データとされる。さらに、制御部２０は、その音声年輪データを、メモリコントローラ１７から信号処理部１６に供給させ、これにより、そのセクタの整数倍のデータ量の音声年輪データが、その整数倍の数のセクタに記録されるように記録制御を行う。
【００７９】
その後、ステップＳ１９に進み、制御部２０は、変数Ｎａに、無限大に相当する値（非常に大きな値）をセットして、音声データ記録タスクを終了する。
【００８０】
なお、上述の場合には、光ディスク１１の物理的単位領域を、セクタとしたが、光ディスク１１の物理的単位領域としては、その他、例えば、ＥＣＣ（Ｅｒｒｏｒ　Ｃｏｒｒｅｃｔｉｏｎ　Ｃｏｄｅ：誤り訂正符号）処理が施される単位のデータが記録されるＥＣＣブロックとすることが可能である。また、光ディスク１１の物理的単位領域は、その他、例えば、複数の固定数のセクタや、複数の固定数のＥＣＣブロックとすることが可能である。
【００８１】
ここで、ＥＣＣ処理は、例えば、信号処理部１６で、ＥＣＣブロック単位で施される。また、セクタは、１以上の個数のＥＣＣブロックで構成することができる。あるいは、ＥＣＣブロックは、１以上の個数のＥＣＣブロックで構成することができる。
【００８２】
以下では、１つのセクタを、光ディスク１１の物理的単位領域として説明を行う。なお、１つのＥＣＣブロックが１つのセクタから構成されるものとすれば、物理的単位領域を、セクタとしても、また、ＥＣＣブロックとしても、光ディスク１１へのデータの記録結果は同一になる。
【００８３】
次に、図８のフローチャートを参照して、図４のステップＳ４で開始される画像データ記録タスクについて説明する。
【００８４】
画像データ記録タスクが開始されると、まず最初に、ステップＳ２１において、制御部２０は、後述するステップＳ２７の処理で、１ずつインクリメントされる変数Ｎｖを、例えば１に初期化し、ステップＳ２２に進む。
【００８５】
ステップＳ２２では、制御部２０は、Ｔｓｖ×Ｎｖが、Ｔｓａ×Ｎａ未満であるかどうかを判定する。
【００８６】
ここで、音声データ記録タスクで説明したように、Ｔｓａ×Ｎａは、音声データを、音声年輪サイズＴｓａ単位で記録していった場合に、これから光ディスク１１に記録しようとしている音声年輪データの最後の再生時刻に相当し、Ｔｓｖ×Ｎｖは、画像データを、画像年輪サイズＴｓｖ単位で記録していった場合に、これから光ディスク１１に記録しようとしている画像年輪データの最後の再生時刻に相当する。
【００８７】
いま、上述したように、音声年輪データと画像年輪データとを、同じような再生時間帯のものが、光ディスク１１上の近い位置に記録されるように、周期的に配置し、さらに、同じような再生時間帯の音声年輪データと画像年輪データについては、音声年輪データが先に配置され、その後に、画像年輪データが配置されるものとする。そして、これから記録しようとする画像年輪データを、注目画像年輪データというものとすると、注目画像年輪データは、再生時刻Ｔｓｖ×Ｎｖ以前の最近の（再生時刻Ｔｓｖ×Ｎｖに最も近い）再生時間帯の画像年輪データとなるが、この注目画像年輪データは、再生時刻Ｔｓａ×Ｎａ以前の最近の再生時間帯の音声年輪データが記録された直後に記録する必要がある。従って、注目画像年輪データの記録は、画像年輪データの再生時刻Ｔｓｖ×Ｎｖが、音声年輪データの再生時刻Ｔｓａ×Ｎａ未満となっているタイミングで行う必要がある。
【００８８】
そこで、ステップＳ２２では、上述したように、画像年輪データの再生時刻Ｔｓｖ×Ｎｖが、音声年輪データの再生時刻Ｔｓａ×Ｎａ未満であるかどうかが判定され、これにより、現在のタイミングが、注目画像年輪データの記録を行うべきタイミングであるかどうかが判定される。
【００８９】
ステップＳ２２において、画像年輪データの再生時刻Ｔｓｖ×Ｎｖが、音声年輪データの再生時刻Ｔｓａ×Ｎａ未満でないと判定された場合、即ち、現在のタイミングが、注目画像年輪データの記録を行うべきタイミングでない場合、ステップＳ２２に戻り、以下、同様の処理が繰り返される。
【００９０】
また、ステップＳ２２において、画像年輪データの再生時刻Ｔｓｖ×Ｎｖが、音声年輪データの再生時刻Ｔｓａ×Ｎａ未満であると判定された場合、即ち、現在のタイミングが、注目画像年輪データの記録を行うべきタイミングである場合、ステップＳ２３に進み、制御部２０は、データ変換部１９からメモリコントローラ１７を介して、メモリ１８に、画像データＶが供給されているか否かを判定し、供給されていると判定した場合、ステップＳ２４に進む。
【００９１】
ステップＳ２４では、制御部２０は、メモリ１８に、通算して、画像年輪サイズＴｓｖ×Ｎｖ分の再生に必要な画像信号の画像データＶが記憶されたか否かを判定し、まだ、その分の画像データＶがメモリ１８に記憶されていないと判定された場合、ステップＳ２２に戻り、それ以降の処理が繰り返される。また、ステップＳ２４において、再生時間Ｔｓｖ×Ｎｖに対応する分の画像データＶがメモリ１８に記憶されたと判定された場合、処理はステップＳ２５に進む。
【００９２】
なお、データ変換部１９のデータ量検出部４２は、通算して、再生時間Ｔｓｖ×Ｎｖ分の再生に必要な画像信号を検出したとき、その旨を、メモリコントローラ１７に通知する。メモリコントローラ１７は、その通知に基づいて、通算して、再生時間Ｔｓｖ×Ｎｖ分の再生に必要な画像データＶをメモリ１８に記憶したか否かの判定を行い、その判定結果を制御部２０に通知する。すなわち制御部２０は、メモリコントローラ１７からのその判定結果に基づいて、ステップＳ２４における判定を行う。なお、本実施の形態では、画像信号を圧縮符号化することによって得られる画像データがメモリ１８に記憶されることとしているが、画像信号は、圧縮符号化せずに、そのまま、画像データとして、メモリ１８に記憶させることも可能である。
【００９３】
ここで、図９は、メモリ１８に記憶される画像データＶの通算のデータ量（通算データ量）Ｌａと時間（再生時間）との関係を示している。なお、図９中右側の上下方向を示す小さな矢印（水平方向の点線の間隔を示す矢印）は、図６における場合と同様に、セクタのデータ量Ｓｕを表している。また、図９における点線Ｌａは、上述の図６において実線で示した、メモリ１８に記憶される音声データＡの通算データ量Ｌａである。
【００９４】
図９において、例えば、Ｎｖ＝１のときの時間Ｔｓｖ×Ｎｖ（＝１）分の再生に必要な画像データＶのデータ量は、ＶＮ１’である。従って、Ｎｖ＝１のときのステップＳ２４では、通算データ量がＶＮ１’の画像データＶが、メモリ１８に記憶されたとき、再生時間Ｔｓｖ×Ｎｖに対応する分の画像データＶがメモリ１８に記憶されたと判定され、ステップＳ２５に進む。
【００９５】
ステップＳ２５では、制御部２０は、メモリコントローラ１７を制御して、メモリ１８に記憶されている画像データＶから、光ディスク１１上に形成される物理的記録再生単位（物理的単位領域）としての、例えば１つのセクタのデータ量Ｓｕの整数倍（ｎ倍）のデータ量であって、メモリ１８から読み出すことのできる最大のデータ量の画像データＶを、時間的に先に入力された方から読み出させることにより抽出し、ステップＳ２６に進む。なお、このセクタの整数倍のデータ量であって、メモリ１８から読み出すことのできる最大のデータ量の画像データＶとして、メモリ１８から読み出される画像年輪データが、上述した、再生時刻Ｔｓｖ×Ｎｖ以前の最近の画像年輪データである。
【００９６】
ここで、上述の図９において時刻が１×Ｔｓｖのとき、メモリ１８には、少なくともデータ量ＶＮ１’の画像データＶが記憶されている。データ量ＶＮ１’は、４つのセクタのデータ量より大であるが、５つのセクタのデータ量より小であるため、ステップＳ２５では、４つのセクタのデータ量ＳｕであるＶＮ１分の画像データＶが、メモリ１８から、注目画像年輪データとして読み出されることにより抽出される。
【００９７】
なお、ステップＳ２５において読み出されなかった画像データ、即ち、図９の時刻が１×Ｔｓｖのときにおいては、１つのセクタのデータ量Ｓｕに満たないデータ量Ｖα１の画像データＶは、そのままメモリ１８に残される。
【００９８】
図８に戻り、ステップＳ２６では、制御部２０が、ステップＳ２５で得られた、セクタの整数倍のデータ量の注目画像年輪データを、メモリコントローラ１７から信号処理部１６に供給させ、これにより、そのセクタの整数倍のデータ量の注目画像年輪データが、その整数倍の数のセクタに記録されるように記録制御を行う。
【００９９】
ここで、図９の時刻が１×Ｔｓｖのときには、４つのセクタのデータ量Ｓｕの画像データＶが、注目画像年輪データとして、メモリコントローラ１７から信号処理部１６に供給される。そして、この４つのセクタのデータ量Ｓｕの注目画像年輪データは、ピックアップ部１３に供給され、上述した図７に示すように、光ディスク１１の４つのセクタであるセクタ＃２，＃３，＃４，＃５に、画像年輪データの境界と、光ディスク１１のセクタ＃２乃至＃５の領域の境界（セクタ＃２の先頭側の境界およびセクタ＃５の終わり側の境界）とが一致するように記録される。
【０１００】
即ち、いま、説明を簡単にするため、音声年輪サイズＴｓａと画像年輪サイズＴｓｖとが等しいものとすると、図５の音声データ記録タスクと、図８の画像データ記録タスクの開始後、Ｎａ＝Ｎａ＝１のときに、図７に示したように、セクタ＃１に、再生時刻Ｔｓａ×Ｎａ以前の最近の音声年輪データが記録される。セクタ＃１に音声年輪データが記録されることにより、図５の音声データ記録タスクのステップＳ１７では、変数Ｎａが１だけインクリメントされ、Ｎａ＝２とされる。このとき、変数Ｎｖは、まだ１のままであり、従って、再生時刻Ｔｓａ×Ｎａは、再生時刻Ｔｓａ×Ｎａ未満となる。その結果、図８の画像データ記録タスクでは、ステップＳ２６において、再生時刻Ｔｓｖ×Ｎｖ以前の最近の画像年輪データが、セクタ＃２乃至＃５に記録される。
【０１０１】
即ち、ここでは、上述したように、光ディスク１１において、データの記録が、メモリコントローラ１７から信号処理部１６に供給されるデータの順番で、空き領域の内周側から外周側に連続して行われていくものとしているため、再生時刻Ｔｓｖ×Ｎｖ以前の最近の画像年輪データである４セクタ分の画像年輪データは、直前に、音声年輪データが記録されたセクタ＃１の直後のセクタ＃２から開始され、これにより、図７に示したように、セクタ＃２乃至＃５に記録される。
【０１０２】
以上から、Ｎａ＝Ｎａ＝１の場合に得られる音声年輪データと画像年輪データ、即ち、再生時刻Ｔｓａ×Ｎａ以前の最近の音声年輪データと、その再生時刻Ｔｓａ×Ｎａに等しい再生時刻Ｔｓｖ×Ｎｖ以前の最近の画像年輪データ、つまりは、同じような再生時間帯の音声年輪データと画像年輪データは、光ディスク１１の隣接する位置に配置されて記録される。
【０１０３】
ステップＳ２６において、上述のように、注目画像年輪データの記録制御が行われた後は、ステップＳ２７に進み、制御部２０は、変数Ｎｖを１だけインクリメントし、ステップＳ２２に戻り、それ以降の処理を繰り返す。
【０１０４】
一方、ステップＳ２３において、画像データＶがメモリ１８に供給されていないと判定された場合、即ち、データ変換部１９からメモリコントローラ１７への画像データＶの供給が停止した場合、ステップＳ２８に進み、制御部２０は、メモリコントローラ１７を制御することにより、メモリ１８にいま残っている画像データＶのすべてを読み出し、そのデータ量がセクタの整数倍の最小のデータ量となるように、画像データＶに、パディング用のパディングデータを付加する。これにより、メモリ１８から読み出した画像データＶが、セクタの整数倍のデータ量の画像年輪データとされる。さらに、制御部２０は、その画像年輪データを、メモリコントローラ１７から信号処理部１６に供給させ、これにより、そのセクタの整数倍のデータ量の画像年輪データが、その整数倍の数のセクタに記録されるように記録制御を行う。
【０１０５】
その後、ステップＳ２９に進み、制御部２０は、変数Ｎｖに、無限大に相当する値をセットして、画像データ記録タスクを終了する。
【０１０６】
次に、図５の音声データ記録タスクと図８の画像データ記録タスクの処理を、Ｎａ＝Ｎｖ＝２のときを例として再度説明する。なお、ここでも、説明を簡単にするため、音声年輪サイズＴｓａと画像年輪サイズＴｓｖは、同一の時間であるものとする。
【０１０７】
いまの場合、音声年輪サイズＴｓａと画像年輪サイズＴｓｖが等しいので、Ｎａ＝Ｎｖ＝２のときは、図５のステップＳ１２において、再生時刻Ｔｓａ×Ｎａが、再生時刻Ｔｓｖ×Ｎｖ以下であると判定され、ステップＳ１３に進む。ここで、Ｎａ＝Ｎｖ＝２のときは、再生時刻Ｔｓａ×ＮａとＴｓｖ×Ｎｖとが等しいので、再生時刻Ｔｓａ×Ｎａは、再生時刻Ｔｓｖ×Ｎｖ以下ではあるが、再生時刻Ｔｓｖ×Ｎｖは、再生時刻Ｔｓａ×Ｎａ未満ではない。従って、Ｎａ＝Ｎｖ＝２のときは、図８のステップＳ２２において、再生時刻Ｔｓｖ×Ｎｖは、再生時刻Ｔｓａ×Ｎａ未満ではないと判定され、ステップＳ２２に戻ることが繰り返される。
【０１０８】
図５のステップＳ１２において、再生時刻Ｔｓａ×Ｎａが、再生時刻Ｔｓｖ×Ｎｖ以下であると判定され、ステップＳ１３に進んだ場合、メモリ１８への音声データＡの供給が継続して行われていれば、ステップＳ１３から、ステップＳ１４に進み、メモリ１８に、通算して、時間Ｔｓａ×Ｎａ（＝２）分の再生に必要な音声データＡが記憶されたか否かが判定され、記憶されたと判定された場合、処理は、ステップＳ１５に進む。
【０１０９】
ここで、図６に示した場合では、時間Ｔｓａ×２だけの再生に必要な音声データＡのデータ量はＡＮ２’であり、従って、通算して、データ量ＡＮ２’分の音声データＡがメモリ１８に記憶された場合に、処理は、ステップＳ１４からＳ１５に進む。
【０１１０】
ステップＳ１５では、いまメモリ１８には、少なくとも、Ｎａ＝１のときのステップＳ１５で読み出されなかった音声データＡ（図６の例では、データ量Ａα１分の音声データＡ）と、Ｎａ＝１のときのステップＳ１５の後からいままでに、メモリ１８に供給されて記憶された音声データＡとが記憶されているので、その音声データＡのうちの、セクタの整数倍の最大のデータ量の音声データＡが、注目音声年輪データとして読み出されることにより抽出される。
【０１１１】
即ち、例えば、図６に示した場合では、時刻Ｔｓａ×２において、２つのセクタのデータ量以上であるが、３つのセクタのデータ量未満のデータ量の音声データＡが、メモリ１８に記憶されている。このため、ステップＳ１５では、メモリ１８に記憶された音声データＡのうちの、セクタの整数倍の最大のデータ量である、２つのセクタのデータ量ＡＮ２（＝２×Ｓｕ）の音声データＡが、注目音声年輪データとして抽出される。なお、図６では、時刻が２×Ｔｓａにおいて、メモリ１８に記憶された音声データＡのデータ量が、２つのセクタのデータ量ＡＮ２に等しくなっており、従って、２つのセクタのデータ量ＡＮ２が抽出されることによりメモリ１８に残る音声データＡは、ない状態になっている。
【０１１２】
この２つのセクタのデータ量ＡＮ２の注目音声年輪データは、ステップＳ１６において、メモリコントローラ１７から信号処理部１６に供給される。そして、この２つのセクタのデータ量ＡＮ２の注目音声年輪データは、ピックアップ部１３に供給され、直前にデータが記録されたセクタの直後のセクタから記録される。
【０１１３】
即ち、いまの場合、２つのセクタのデータ量ＡＮ２の注目音声年輪データの直前には、図７で説明したように、セクタ＃２乃至＃５に、画像年輪データが記録されたから、２つのセクタのデータ量ＡＮ２の注目音声年輪データは、セクタ＃５の直後のセクタ＃６から記録される。具体的には、図７に示すように、２つのセクタのデータ量ＡＮ２の注目音声年輪データは、２つのセクタ＃６と＃７に、音声年輪データの境界と、光ディスク１１のセクタ＃６および＃７の領域の境界とが一致するように記録される。
【０１１４】
注目音声年輪データの記録が行われると、図５の音声データ記録タスクでは、ステップＳ１７において、変数Ｎａが１だけインクリメントされ、これにより、２であった変数Ｎａは３となる。
【０１１５】
従って、Ｎａ＝３，Ｎｖ＝２となるが、この場合、再生時刻Ｔｓｖ×Ｎｖが、再生時刻Ｔｓａ×Ｎａ未満となるので、図８の画像データ記録タスクでは、ステップＳ２２において、再生時刻Ｔｓｖ×Ｎｖが、再生時刻Ｔｓａ×Ｎａ未満であると判定され、ステップＳ２３に進む。
【０１１６】
図８のステップＳ２２において、再生時刻Ｔｓｖ×Ｎｖが、再生時刻Ｔｓａ×Ｎａ未満であると判定され、ステップＳ２３に進んだ場合、メモリ１８への画像データＶの供給が継続して行われていれば、ステップＳ２３から、ステップＳ２４に進み、メモリ１８に、通算して、時間Ｔｓｖ×Ｎｖ（＝２）分の再生に必要な画像データＶが記憶されたか否かが判定され、記憶されたと判定された場合、処理は、ステップＳ２５に進む。
【０１１７】
ここで、図９に示した場合では、時間Ｔｓｖ×２だけの再生に必要な画像データＶのデータ量はＶＮ２’であり、従って、通算して、データ量ＶＮ２’分の画像データＶがメモリ１８に記憶された場合に、処理は、ステップＳ２４からＳ２５に進む。
【０１１８】
ステップＳ２５では、いまメモリ１８には、少なくとも、Ｎｖ＝１のときのステップＳ２５で読み出されなかった画像データＶ（図９の例では、データ量Ｖα１分の画像データＶ）と、Ｎｖ＝１のときのステップＳ２５の後からいままでに、メモリ１８に供給されて記憶された画像データＶとが記憶されているので、その画像データＶのうちの、セクタの整数倍の最大のデータ量の画像データＶが、注目画像年輪データとして読み出されることにより抽出される。
【０１１９】
即ち、例えば、図９に示した場合では、時刻Ｔｓｖ×２において、２つのセクタのデータ量以上であるが、３つのセクタのデータ量未満のデータ量の画像データＶが、メモリ１８に記憶されている。このため、ステップＳ２５では、メモリ１８に記憶された画像データＶのうちの、セクタの整数倍の最大のデータ量である、２つのセクタのデータ量ＶＮ２（＝２×Ｓｕ）の画像データＶが、注目画像年輪データとして抽出される。なお、図９では、時刻が２×Ｔｓｖにおいて、メモリ１８に記憶された画像データＶのデータ量が、２つのセクタのデータ量ＶＮ２より大となっており、このため、２つのセクタのデータ量ＶＮ２が抽出されることにより、データ量Ｖα２の画像データＶが、メモリ１８に残っている。
【０１２０】
この２つのセクタのデータ量ＶＮ２の注目画像年輪データは、ステップＳ２６において、メモリコントローラ１７から信号処理部１６に供給される。そして、この２つのセクタのデータ量ＶＮ２の注目画像年輪データは、ピックアップ部１３に供給され、直前にデータが記録されたセクタの直後のセクタから記録される。
【０１２１】
即ち、いまの場合、２つのセクタのデータ量ＡＮ２の注目画像年輪データの直前には、図７で説明したように、セクタ＃６および＃７に、音声年輪データが記録されたから、２つのセクタのデータ量ＶＮ２の注目画像年輪データは、セクタ＃７の直後のセクタから記録される。
【０１２２】
注目画像年輪データの記録が行われると、図８の画像データ記録タスクでは、ステップＳ２７において、変数Ｎｖが１だけインクリメントされ、これにより、２であった変数Ｎｖは、変数Ｎａと同一の３となる。
【０１２３】
以下同様にして、音声データ記録タスクと画像データ記録タスクの処理が行われ、音声データＡと画像データＶが、光ディスク１１に記録される。これにより、例えば、音声年輪サイズＴｓａと画像年輪サイズＴｓｖが同一の時間である場合には、同じような再生時間帯の音声データＡのまとまりである音声年輪データと、画像データＶのまとりまりである画像年輪データとが、図１０に示すように、光ディスク１１の隣接した位置に配置されるように、順次記録される。即ち、この場合、同じような再生時間帯の音声年輪データと画像年輪データとが、光ディスク１１に、交互に記録される。
【０１２４】
ここで、図１０は、上述したようにして、音声データと画像データが記録された光ディスク１１のトラックを模式的に示している。なお、図１０では（後述する図１１においても同様）、音声データの記録部分を、影を付して示してあり、画像データの記録部分を、特に模様を付さずに示してある。
【０１２５】
図１０から、光ディスク１１には、木の年輪を形成するかのように、画像データと音声データが記録される。このことから、光ディスク１１に記録される音声データや画像データのひとまとまりを、音声「年輪」データや画像「年輪」データと呼んでいる。後述するローレゾ年輪データやメタ年輪データについても、同様である。なお、以下、適宜、木の年輪を形成するかのように、光ディスク１１に記録される、あるデータ系列の中のデータのまとまりを、年輪データという。
【０１２６】
ここで、光ディスク１１に形成される年輪の幅（ある１つの音声年輪データや画像年輪データが、幾つのトラックに亘って記録されるか）は、音声年輪サイズＴｓａと画像年輪サイズＴｓｖによって決定される。なお、音声年輪サイズＴｓａや画像年輪サイズＴｓｖは、音声年輪データや画像年輪データを記録する光ディスク１１の半径位置に応じて変化させることができる。そして、音声年輪サイズＴｓａや画像年輪サイズＴｓｖによっては、１つの音声年輪データや画像年輪データが記録されるトラックが、１周分に満たないケースが生じる。
【０１２７】
以上のように、同じような再生時間帯の音声年輪データと画像年輪データが、光ディスク１１上の近い位置に記録されるので、光ディスク１１から、同一の再生時刻の音声データと画像データを、迅速に読み出して再生することが可能となる。
【０１２８】
また、音声データと画像データは、複数のセクタのデータ量分の年輪データととされ、その複数のセクタに、年輪データの境界とセクタの境界とが一致するように記録されるので、光ディスク１１から、音声データまたは画像データだけを読み出すことが可能となり、その結果、音声データまたは画像データだけの編集処理を迅速に行うことが可能となる。
【０１２９】
さらに、上述の場合には、光ディスク１１には、セクタのデータ量以上の画像データＶと画像データＶが、交互に、１個以上のセクタにまとめて、連続して記録されるので、図１１の点線の矢印で示されるようなシークの回数を、従来のような小さな画像データＶと画像データＶが１つのセクタに混在して配置されている場合に比べて減らすことができる。シークの回数が減るということは、その分、光ディスク１１からのデータの実質的な読み出しレートを向上させることができ、その結果、再生時には、メモリ１８に、光ディスク１１から読み出されたデータを十分に蓄えておくことができる。これにより、シークが生じることにより、メモリ１８がアンダフローして、再生が途切れることを防止することができる。さらに、光ディスク１１からのデータの読み出しに失敗した場合に、メモリ１８に、十分なデータが蓄えられている結果、読み出しに失敗したデータの読み出しのリトライを行っても、再生が途切れることを防止することができる。また、シーク回数が減少した分だけ消費電力を節約することができる。
【０１３０】
なお、以上においては、メモリ１８に圧縮符号化された音声データＶまたは画像データＶを記憶する場合を例として説明したが、圧縮符号化せずにメモリ１８に記憶するようにすることもできる。
【０１３１】
また、以上においては、画像データＶおよび画像データＶを、螺旋状のトラックに配置する場合を例として説明したが、図１２に示されるように、同心円状のトラックに交互に配置することもできる。この場合、各トラックは、内周側のトラックから隣接する外周側のトラックに連続することになる。
【０１３２】
ところで、例えば、音声年輪サイズＴｓａと画像年輪サイズＴｓｖとが、同一の再生時間であるとすると、図８のフローチャートに示した画像データ記録タスクによれば、例えば、Ｎｖ＝１のときにステップＳ２６で行われる画像年輪データの信号処理部１６への転送は、図５のフローチャートに示した音声データの記録タスクのステップＳ１６において、Ｎａ＝１のときに、音声年輪データの信号処理部１６への転送が行われた後、ステップＳ１７において、変数Ｎａが１から２にインクリメントされてから行われる。
【０１３３】
即ち、図１３は、光ディスク１１へのデータの記録時に、メモリ１８に記憶される音声データＡの通算データ量Ｌａおよび画像データＶの通算データ量Ｌｖ、並びにメモリ１８から読み出される音声データＡの通算データ量Ｌａ’および画像データＶの通算データ量Ｌｖ’を示している。
【０１３４】
上述したように、Ｎｖ＝１のときにステップＳ２６で行われる画像年輪データの信号処理部１６への転送は、Ｎａ＝１のときにステップＳ１６で行われる音声年輪データの信号処理部１６への転送の後に行われる。即ち、例えば、画像データＶと、その画像データＶに付随する音声データＡとは、データ変換部１９からメモリコントローラ１７に同時に出力されるものとする。また、同一の時間である音声年輪サイズＴｓａおよび画像年輪サイズＴｓｖを、ｔｎと表すと、Ｎａ＝Ｎｖ＝１のときの再生時刻ｔｎ１は、１×ｔｎと表すことができる。この場合、再生時刻ｔｎ１となると、音声年輪データの信号処理部１６への転送が行われ、その転送の終了後、画像年輪データの信号処理部１６への転送が開始される。再生時刻ｔｎ１の経過後も、メモリ１８では、データ変換部１９からメモリコントローラ１７に供給される音声データＡおよび画像データＶの記憶が続行されているから、音声年輪データの信号処理部１６への転送の終了後に行われる画像年輪データの信号処理部１６への転送の開始時には、メモリ１８に、再生時刻ｔｎ１のときよりも多くのデータ量Ｍ１の画像データＶが記憶される。
【０１３５】
Ｎａ＝Ｎｖ＝２である場合の再生時刻ｔｎ２（＝２×ｔｎ）となったときに、音声年輪データの信号処理部１６への転送の後に行われる画像年輪データの信号処理部１６への転送の開始時においても、同様に、メモリ１８には、再生時刻ｔｎ２のときよりも多くのデータ量Ｍ２の画像データＶが記憶される。
【０１３６】
従って、ある再生時刻において、信号処理部１６に転送することができるだけの画像データＶがメモリ１８に記憶されているのにもかかわらず、その再生時刻において転送されない画像データＶをメモリ１８に記憶してから、画像データＶの転送が行われる。このことは、メモリ１８に、いわば余計な画像データＶを記憶しているということができ、メモリ１８の記憶容量を圧迫することになる。
【０１３７】
そこで、例えば、音声データＡのデータレート（図１３におけるＬａとＬａ’の傾き）が固定である場合には、メモリ１８に対する、あるデータ量の音声データＡの読み書きに要する時間を求めることができるから、その時間を考慮して、図１４に示すように、例えば、再生時間ｔｎ（＝Ｔｓａ）分の音声データＡが実際にメモリ１８に記憶される時刻ｔｎ１に、その音声データＡの信号処理部１６への転送が完了するように、時間Ｔｒだけ早く音声データＡの転送を開始することができる。この場合、メモリ１８は、データ量Ｍ１より少ないデータ量Ｍ１１の画像データＶを記憶するだけで済むようになる。
【０１３８】
なお、図１４は、図１３の場合よりも、時間Ｔｒだけ早く音声データＡの転送を開始するようにしたときの、メモリ１８に記憶される音声データＡの通算データ量Ｌａおよび画像データＶの通算データ量Ｌｖ、並びにメモリ１８から読み出される音声データＡの通算データ量Ｌａ’および画像データＶの通算データ量Ｌｖ’を示している。
【０１３９】
Ｎａ＝Ｎｖ＝２の場合も同様に、データ量Ｍ２より少ないデータ量Ｍ１２の画像データＶを、メモリ１８に記憶するだけで済むようにすることができ、さらに、ＮａおよびＮｖが２よりも大きい整数値の場合も同様に、メモリ１８には、少ないデータ量の画像データを記憶させるだけで済むようにすることができる。
【０１４０】
以上のように、音声データＡの信号処理部１６への転送開始を早めることで、メモリ１８に、より多くの空き領域を確保することができ、この場合、記録時のエラーリカバリ能力を高めることができる。
【０１４１】
即ち、例えば、メモリ１８から信号処理部１６に転送された音声データや画像データの光ディスク１１への記録に失敗した場合、再度、その記録を行うことが必要となるが、その再度の記録が行われている間も、音声データと画像データは、メモリ１８に供給されて記憶される。従って、メモリ１８に、より多くの空き領域を確保することができることによって、再度の記録が行われている間にメモリ１８に供給される音声データと画像データによって、メモリ１８がオーバフローすることを防止することができる。
【０１４２】
なお、画像データＶが可変レートである場合には、画像データＶのデータ量は、例えばフレームごとに異なる。また、メモリコントローラ１７を介しての、データ変換部１９からメモリ１８への転送レートが一定であるとすると、メモリ１８に記憶される画像データＶの通算データ量Ｌｖは、例えば、図１５に示すように、階段状に変化する。ここで、図１５において、通算データ量Ｌｖを表す実線の右上がりの直線部分の傾きは、データ変換部１９からメモリ１８への転送レートに対応する。そして、この右上がりの直線部分が続く長さ（時間）は、各フレームの画像データＶのデータ量による。即ち、データ量の多いフレームについては、右上がりの直線部分が続く長さが長くなり、逆に、データ量の少ないフレームについては、右上がりの直線部分が続く長さが短くなる。その結果、画像データの通算データ量Ｌｖは、いわばマクロ的に見れば、曲線によって表現される。
【０１４３】
また、以上においては、音声データＡが記録された後、画像データＶが記録される場合を例として説明したが、画像データＶを記録した後、音声データＡを記録するようにすることもできる。
【０１４４】
次に、図１６は、図２のデータ変換部１９の他の構成例を示している。なお、図中、図３における場合と対応する部分については、同一の符号を付してあり、以下では、その説明は、適宜省略する。即ち、図１６のデータ変換部１９は、メタデータ処理部５１、ローレゾデータ生成部５２、メタデータ処理部５３、およびローレゾデータ処理部５４が新たに設けられている他は、基本的に、図３における場合と同様に構成されている。
【０１４５】
図３の実施の形態においては、デマルチプレクサ４１が、信号入出力装置３１から供給される信号から、関連する複数のデータ系列として、例えば、動画の画像信号と、その画像信号に付随する音声信号とを分離するようになっていたが、図１６の実施の形態では、デマルチプレクサ４１は、信号入出力装置３１から供給される信号から、関連する複数のデータ系列として、例えば、動画の画像信号およびその画像信号に付随する音声信号の他、その画像信号についてのメタデータも、さらに分離する。
【０１４６】
即ち、光ディスク１１へのデータの記録時においては、信号入出力装置３１は、上述したように、例えば、図示せぬビデオカメラで得られた信号を出力するが、このビデオカメラで得られる信号には、被写体の撮像を行うことにより得られる画像信号とその画像信号に付随する音声信号の他、その画像信号についてのメタデータも含まれており、図１６の実施の形態では、デマルチプレクサ４１は、そのような信号から、画像信号および音声信号の他、メタデータも分離する。
【０１４７】
ここで、メタデータとしては、画像信号に対して、フレームごと等に付されるタイムコードや、ＵＭＩＤ（Ｕｎｉｑｕｅ　Ｍａｔｅｒｉａｌ　Ｉｄｅｎｔｉｆｉｅｒ）、ビデオカメラによる撮像が行われた位置を表すＧＰＳ（Ｇｌｏｂａｌ　Ｐｏｓｉｔｉｏｎｉｎｇ　Ｓｙｓｔｅｍ）の情報、その撮像が行われた日時（年、月、日、時、分、秒）、ＡＲＩＢ（Ａｓｓｏｃｉａｔｉｏｎ　ｏｆ　Ｒａｄｉｏ　Ｉｎｄｕｓｔｒｉｅｓａｎｄ　Ｂｕｓｉｎｅｓｓｅｓ）メタデータ、撮像が行われたビデオカメラの設定／制御情報などがある。なお、ＡＲＩＢメタデータとは、ＡＲＩＢで標準化され、ＳＤＩ（Ｓｅｒｉａｌ　ＤｉｇｉｔａｌＩｎｔｅｒｆａｃｅ）等の標準の通信インタフェースに重畳されるメタデータである。また、ビデオカメラの設定／制御情報とは、例えば、ＩＲＩＳ（アイリス）制御値や、ホワイトバランス／ブラックバランスのモード、レンズのズームやフォーカスなどに関するレンズ情報などである。
【０１４８】
デマルチプレクサ４１で得られる画像信号、音声信号、およびメタデータは、データ量検出部４２に供給される。データ量検出部４２は、デマルチプレクサ４１から供給される画像信号、音声信号、メタデータを、そのまま、画像信号変換部４３、音声信号変換部４４、メタデータ処理部５１にそれぞれ供給するとともに、その画像信号、音声信号、メタデータそれぞれのデータ量を検出し、メモリコントローラ１７に供給する。即ち、データ量検出部４２は、デマルチプレクサ４１から供給される画像信号、音声信号、メタデータそれぞれについて、例えば、所定の再生時間分のデータ量を検出し、メモリコントローラ１７に供給する。
【０１４９】
また、データ量検出部４２は、デマルチプレクサ４１から供給される画像信号、さらには、必要に応じて音声信号を、ローレゾデータ生成部５２に供給する。
【０１５０】
メタデータ処理部５１は、データ量検出部４２を介して供給されるメタデータの各構成要素（タイムコードや撮像が行われた日時など）を、必要に応じて配置し直し、その結果得られるメタデータのデータ系列を、メモリコントローラ１７に供給する。
【０１５１】
ローレゾデータ生成部５２は、そこに供給されるデータのデータ量を少なくしたデータであるローレゾデータのデータ系列を生成し、メモリコントローラ１７に供給する。
【０１５２】
即ち、ローレゾデータ生成部５２は、データ量検出部４２を介して供給される画像信号の各フレームの画素数を間引く等することによって、画素数の少ないフレームの画像信号である少画像信号を生成する。さらに、ローレゾデータ生成部５２は、その少画像信号を、例えば、ＭＰＥＧ４方式でエンコードし、そのエンコード結果を、ローレゾデータとして出力する。
【０１５３】
なお、ローレゾデータ生成部５２では、データ量検出部４２を介して供給される音声信号、あるいは、その音声信号のサンプルを間引く等することによってデータ量を少なくした音声信号を、ローレゾデータに含めて（例えば、フレーム単位等で、少画像信号に多重化した形で）出力するようにすることが可能である。以下では、ローレゾデータには、音声信号が含まれるものとする。
【０１５４】
ここで、画像信号変換部４３が出力する画像データのデータ系列および音声信号変換部４４が出力する音声データと、ローレゾデータ生成部５２が出力するローレゾデータのデータ系列とは、同一内容の画像および音声のデータ系列であるが、画像信号変換部４３が出力する画像データおよび音声信号変換部４４が出力する音声データは、いわば本来的に、ユーザに提供されるべきものであり、このことから、画像信号変換部４３が出力する画像データおよび音声信号変換部４４が出力する音声データを、以下、適宜、本線データという。
【０１５５】
ローレゾデータは、上述したように、本線データと同一内容の画像および音声のデータではあるが、そのデータ量が少ない。従って、ある再生時間の再生を行うとした場合、ローレゾデータは、本線データに比較して、光ディスク１１から短時間で読み出すことができる。
【０１５６】
なお、本線データのデータレートとしては、例えば、２５Ｍｂｐｓ（Ｍｅｇａ　ｂｉｔ　ｐｅｒｓｅｃｏｎｄ）程度を採用することができる。この場合、ローレゾデータのデータレートとしては、例えば、３Ｍｂｐｓ程度を採用することができる。さらに、この場合、メタデータのデータレートとして、例えば、２Ｍｂｐｓ程度を採用することとすると、光ディスク１１に記録するデータ全体のデータレートは、３０（＝２５＋３＋２）Ｍｂｐｓ程度となる。従って、光ディスク１１（をドライブするディスク記録再生装置１０）としては、例えば、３５Ｍｂｐｓなどの記録レートを有する、十分実用範囲内のものを採用することが可能である。
【０１５７】
以上のように、図１６のデータ変換部１９では、本線データ（画像データおよび音声データ）のデータ系列の他、メタデータとローレゾデータのデータ系列も、メモリコントローラ１７に供給される。そして、メモリコントローラ１７に供給された本線データ、メタデータ、およびローレゾデータは、光ディスク１１に供給されて記録される。
【０１５８】
一方、光ディスク１１からのデータの再生時においては、光ディスク１１から、必要に応じて、本線データ、メタデータ、またはローレゾデータが読み出される。そして、本線データを構成する画像データと音声データは、画像データ変換部４５と音声データ変換部４６にそれぞれ供給され、図３における場合と同様に、画像信号と音声信号にデコードされて、マルチプレクサ４７に供給される。
【０１５９】
また、メタデータとローレゾデータは、メタデータ処理部５３とローレゾデータ処理部５４に供給される。メタデータ処理部５３は、そこに供給されるメタデータの各構成要素の配置位置を必要に応じて変更し、マルチプレクサ４７に供給する。ローレゾデータ処理部５４は、そこに供給されるローレゾデータをデータ量の少ない画像信号と音声信号にデコードし、デマルチプレクサ４７に供給する。
【０１６０】
マルチプレクサ４７は、画像データ変換部４５から供給される画像信号、音声データ変換部４６から供給される音声信号、メタデータ処理部５３から供給されるメタデータ、ローレゾデータ処理部５４から供給されるデータ量の少ない画像信号および音声信号を、信号入出力装置３１に供給する。なお、マルチプレクサ４７では、画像データ変換部４５から供給される画像信号、音声データ変換部４６から供給される音声信号、メタデータ処理部５３から供給されるメタデータ、ローレゾデータ処理部５４から供給されるデータ量の少ない画像信号および音声信号を多重化して出力するようにすることも、それぞれの信号（データ）を、独立に、並列して出力するようにすることも可能である。
【０１６１】
次に、図１７のフローチャートを参照して、データ変換部１９が図１６に示したように構成される場合の、制御部２０が行う記録処理について説明する。
【０１６２】
操作部２１が操作されることによって、記録処理開始を指令する旨の操作信号が、操作部２１から制御部２０に供給されると、制御部２０は、記録処理を開始する。
【０１６３】
即ち、制御部２０は、まず最初に、ステップＳ３１において、音声年輪サイズＴｓａおよび画像年輪サイズＴｓｖ、さらには、ローレゾ年輪サイズＴｓｌとメタ年輪サイズＴｓｍを設定する。
【０１６４】
ここで、ローレゾ年輪サイズＴｓｌは、光ディスク１１にひとまとめで配置して記録するローレゾデータのデータ量を決定する変数で、例えば、上述の音声年輪サイズＴｓａおよび画像年輪サイズＴｓｖと同様に、そのローレゾデータの元となった画像信号（または音声信号）の再生時間によって表される。メタ年輪サイズＴｓも、同様に、光ディスク１１にひとまとめで配置して記録するメタデータのデータ量を決定する変数で、例えば、上述の音声年輪サイズＴｓａおよび画像年輪サイズＴｓｖと同様に、そのメタデータによって各種の情報（例えば、画像の撮像が行われた日時など）が説明される画像信号（または音声信号）の再生時間によって表される。
【０１６５】
なお、ローレゾ年輪サイズＴｓｌとメタ年輪サイズＴｓｍを、例えば、ビット数やバイト数などのデータ量そのものによって表すのではなく、再生時間によって、いわば間接的に表すようにしたのは、上述した音声年輪サイズＴｓａと画像年輪サイズＴｓｖにおける場合と同様の理由による。
【０１６６】
即ち、図１７の記録処理によれば、後述するように、音声データＡの系列から抽出された音声年輪サイズＴｓａに基づくデータ量ごとの音声データのまとまりである音声年輪データと、画像データＶの系列から抽出された画像年輪サイズＴｓｖに基づくデータ量ごとの画像データのまとまりである画像年輪データの他、ローレゾデータのデータ系列から抽出されたローレゾ年輪サイズＴｓｌに基づくデータ量ごとのローレゾデータのまとまりであるローレゾ年輪データと、メタデータのデータ系列から抽出されたメタ年輪サイズＴｓｍに基づくデータ量ごとのメタデータのまとまりであるメタ年輪データも、光ディスク１１に周期的に配置されて記録される。
【０１６７】
このように、光ディスク１１に、音声年輪データ、画像年輪データ、ローレゾ年輪データ、メタ年輪データが周期的に配置されて記録される場合、ローレゾ年輪データは、音声年輪データや画像年輪データのデータ量を少なくしたものであるから、ある再生時間帯の音声年輪データおよび画像年輪データと、その再生時間帯の音声年輪データや画像年輪データのデータ量を少なくしたローレゾ年輪データとは、光ディスク１１上の近い位置に記録すべきである。さらに、メタ年輪データは、音声年輪データや画像年輪データに関する情報を表すものであるから、やはり、ある再生時間帯の音声年輪データおよび画像年輪データと、その再生時間帯の音声年輪データや画像年輪データに関する情報を表すメタ年輪データとは、光ディスク１１上の近い位置に記録すべきである。
【０１６８】
しかしながら、同一の再生時間分の音声データＡや画像データＶのデータレートと、ローレゾデータやメタデータのデータレートとを比較した場合、音声データＡや画像データＶのデータレートに比較して、ローレゾデータやメタデータのデータレートは小である。
【０１６９】
従って、ローレゾ年輪サイズＴｓｌとメタ年輪サイズＴｓｍを、データ量で表すと、上述した音声年輪サイズＴｓａおよび画像年輪サイズＴｓｖをデータ量で表した場合と同様に、同じような再生時間帯に再生されるべき音声データ、画像データ、ローレゾデータ、およびメタデータを、光ディスク１１上の近い位置に配置することが困難となる不都合が生じる。
【０１７０】
そこで、図１７の実施の形態では、ローレゾ年輪サイズＴｓｌとメタ年輪サイズＴｓｍも、音声年輪サイズＴｓａおよび画像年輪サイズＴｓｖと同様に、再生時間で表し、これにより、同じような再生時間帯に再生されるべき音声データ、画像データ、ローレゾデータ、およびメタデータを、光ディスク１１上の近い位置に配置することができるようにしている。
【０１７１】
なお、ステップＳ３１で設定する音声年輪サイズＴｓａ、画像年輪サイズＴｓｖ、ローレゾ年輪サイズＴｓｌ、およびメタ年輪サイズＴｓｍの値は、あらかじめ定められた固定の値でも良いし、可変の値でも良い。音声年輪サイズＴｓａや、画像年輪サイズＴｓｖ、ローレゾ年輪サイズＴｓｌ、メタ年輪サイズＴｓｍの値を可変とする場合には、その可変の値は、例えば、操作部２１を操作することによって入力するようにすることができる。
【０１７２】
ステップＳ３１の処理後は、ステップＳ３２に進み、制御部２０は、図４のステップＳ２における場合と同様に、データ変換部１９を制御して、信号入出力装置３１からディスク記録再生装置１０に供給される音声信号と画像信号を圧縮符号化して、音声データＡの系列と画像データＶの系列とする音声信号変換処理と画像信号変換処理をそれぞれ開始させるとともに、メモリコントローラ１７を制御して、データ変換部１９で得られた音声データＡと画像データＶをメモリ１８に供給して記憶させる音声データ記憶処理と画像データ記憶処理をそれぞれ開始させる。さらに、ステップＳ３２では、制御部２０は、データ変換部１９を制御して、信号入出力装置３１からディスク記録再生装置１０に供給されるメタデータの系列を処理するメタデータ処理と、信号入出力装置３１からディスク記録再生装置１０に供給される音声信号と画像信号からローレゾデータの系列を生成するローレゾデータ生成処理とを開始させるとともに、メモリコントローラ１７を制御して、データ変換部１９で得られたメタデータとローレゾデータをメモリ１８に供給して記憶させるメタデータ記憶処理とローレゾデータ記憶処理をそれぞれ開始させる。
【０１７３】
そして、ステップＳ３３，Ｓ３４に順次進み、制御部２０は、ステップＳ３３において、音声データＡを光ディスク１１に記録させる制御タスクである音声データ記録タスクを開始するとともに、ステップＳ３４において、画像データＶを光ディスク１１に記録させる制御タスクである画像データ記録タスクを開始し、ステップＳ３５に進む。ステップＳ３５では、制御部２０は、ローレゾデータを光ディスク１１に記録させる制御タスクであるローレゾデータ記録タスクを開始し、ステップＳ３６に進む。ステップＳ３６では、制御部２０は、メタデータを光ディスク１１に記録させる制御タスクであるメタデータ記録タスクを開始し、ステップＳ３７に進む。なお、ステップＳ３３における音声データ記録タスク、ステップＳ３４における画像データ記録タスク、ステップＳ３５におけるローレゾデータ記録タスク、およびステップＳ３６におけるメタデータ記録タスクの詳細については、後述する。
【０１７４】
ステップＳ３７では、制御部２０は、操作部２１から、データの記録の終了を指令する操作信号が供給されたかどうかを判定し、供給されていないと判定した場合、ステップＳ３８に進み、制御部２０は、すべての記録タスクが終了したかどうかを判定する。ステップＳ３８おいて、すべての記録タスクが終了していないと判定された場合、ステップＳ３７に戻り、以下、同様の処理が繰り返される。
【０１７５】
また、ステップＳ３８において、すべての記録タスクが終了したと判定された場合、即ち、ステップＳ３３で開始された音声データ記録タスク、ステップＳ３４で開始された画像データ記録タスク、ステップＳ３５で開始されたローレゾデータ記録タスク、およびステップＳ３６で開始されたメタデータ記録タスクのすべてが終了している場合、記録処理を終了する。
【０１７６】
一方、ステップＳ３７において、データの記録の終了を指令する操作信号が供給されたと判定された場合、即ち、例えば、ユーザが、データの記録を終了するように、操作部２１を操作した場合、ステップＳ３９に進み、制御部２０は、ステップＳ３２で開始させた音声信号変換処理、画像信号変換処理、メタデータ処理、およびローレゾデータ生成処理、並びに音声データ記憶処理、画像データ記憶処理、メタデータ記憶処理、およびローレゾデータ記憶処理を終了させ、ステップＳ４０に進む。
【０１７７】
ステップＳ４０では、ステップＳ３８における場合と同様に、すべての記録タスクが終了したかどうかを判定する。ステップＳ４０において、すべての記録タスクが終了していないと判定された場合、ステップＳ４０に戻り、以下、同様の処理が繰り返される。
【０１７８】
また、ステップＳ４０において、すべての記録タスクが終了したと判定された場合、即ち、ステップＳ３３で開始された音声データ記録タスク、ステップＳ３４で開始された画像データ記録タスク、ステップＳ３５で開始されたローレゾデータ記録タスク、およびステップＳ３６で開始されたメタデータ記録タスクのすべてが終了した場合、記録処理を終了する。
【０１７９】
次に、図１８のフローチャートを参照して、図１７のステップＳ３３で開始される音声データ記録タスクについて説明する。
【０１８０】
音声データ記録タスクが開始されると、まず最初に、ステップＳ５１において、制御部２０は、後で行われるステップＳ５７の処理で、１ずつインクリメントされる変数Ｎａを、例えば１に初期化し、ステップＳ５２に進む。
【０１８１】
ステップＳ５２では、制御部２０は、図５のステップＳ１２における場合と同様に、Ｔｓａ×Ｎａが、Ｔｓｖ×Ｎｖ以下であるかどうかを判定し、さらに、Ｔｓａ×Ｎａが、Ｔｓｌ×Ｎｌ以下で、かつＴｓｍ×Ｎｍ以下であるかどうかを判定する。
【０１８２】
ここで、Ｔｓｌは、ローレゾ年輪サイズであり、変数Ｎｌは、後述するように、ローレゾデータ記録タスクにおいて、ローレゾ年輪サイズＴｓｅに基づくデータ量のローレゾデータ（ローレゾ年輪データ）が光ディスク１１に記録されるごとに、１ずつインクリメントされていく。さらに、Ｔｓｍは、メタ年輪サイズであり、変数Ｎｍは、後述するように、メタデータ記録タスクにおいて、メタ年輪サイズＴｓｍに基づくデータ量のメタデータ（メタ年輪データ）が光ディスク１１に記録されるごとに、１ずつインクリメントされていく。従って、Ｔｓｌ×Ｎｌは、ローレゾデータを、ローレゾ年輪サイズＴｓｅ単位で記録していった場合に、これから光ディスク１１に記録しようとしているローレゾ年輪データの最後の再生時刻に相当し、Ｔｓｍ×Ｎｍは、メタデータを、メタ年輪サイズＴｓｍ単位で記録していった場合に、これから光ディスク１１に記録しようとしているメタ年輪データの最後の再生時刻に相当する。
【０１８３】
一方、いま、音声年輪データ、画像年輪データ、ローレゾ年輪データ、およびメタ年輪データを、同じような再生時間帯のものが、光ディスク１１上の近い位置に記録されるように、周期的に配置するものとする。さらに、音声年輪データ、画像年輪データ、ローレゾ年輪データ、およびメタ年輪データについては、その再生時刻が早いものほど、光ディスク１１の前の位置（光ディスク１１に対するデータの読み書き順で、先の位置）に配置され、さらに、同じような再生時間帯の音声年輪データ、画像年輪データ、ローレゾ年輪データ、およびメタ年輪データについては、例えば、音声年輪データ、画像年輪データ、ローレゾ年輪データ、メタ年輪データの順番で、光ディスク１１のより前の位置に配置されるものとする。
【０１８４】
この場合、これから記録しようとする音声年輪データである注目音声年輪データは、再生時刻Ｔｓａ×Ｎａ以前の最近の（再生時刻Ｔｓａ×Ｎａに最も近い）再生時間帯の音声年輪データとなるが、この注目音声年輪データは、再生時刻Ｔｓａ×Ｎａ以前の最近の再生時間帯の画像年輪データ、ローレゾ年輪データ、およびメタ年輪データが記録される直前、つまり、再生時刻Ｔｓａ×Ｎａ以前の２番目に新しい再生時間帯の画像年輪データ、ローレゾ年輪データ、およびメタ年輪データが記録された直後に記録する必要がある。
【０１８５】
ところで、これから記録される画像年輪データは、Ｔｓｖ×Ｎｖ以前の最近の再生時間帯の画像年輪データである。また、これから記録されるローレゾ年輪データは、Ｔｓｌ×Ｎｌ以前の最近の再生時間帯のローレゾ年輪データであり、これから記録されるメタ年輪データは、Ｔｓｍ×Ｎｍ以前の最近の再生時間帯のメタ年輪データである。同じような再生時間帯の年輪データについては、上述したように、音声年輪データが、光ディスク１１のより前の位置に配置されるから、注目音声年輪データの記録は、音声年輪データの再生時刻Ｔｓａ×Ｎａが、画像年輪データの再生時刻Ｔｓｖ×Ｎｖ以下となっており、さらに、ローレゾ年輪データの再生時刻Ｔｓｌ×Ｎｌ以下であり、かつ、メタ年輪データの再生時刻Ｔｓｍ×Ｎｍ以下となっているタイミングで行う必要がある。
【０１８６】
そこで、ステップＳ５２では、上述したように、音声年輪データの再生時刻Ｔｓａ×Ｎａが、画像年輪データの再生時刻Ｔｓｖ×Ｎｖ以下であり、さらに、ローレゾ年輪データの再生時刻Ｔｓｌ×Ｎｌ以下であり、かつ、メタ年輪データの再生時刻Ｔｓｍ×Ｎｍ以下であるかどうかが判定され、これにより、現在のタイミングが、注目音声年輪データの記録を行うべきタイミングであるかどうかが判定される。
【０１８７】
ステップＳ５２において、音声年輪データの再生時刻Ｔｓａ×Ｎａが、画像年輪データの再生時刻Ｔｓｖ×Ｎｖ、ローレゾ年輪データの再生時刻Ｔｓｌ×Ｎｌ、またはメタ年輪データの再生時刻Ｔｓｍ×Ｎｍのうちのいずれか以下（以前）でないと判定された場合、即ち、現在のタイミングが、注目音声年輪データの記録を行うべきタイミングでない場合、ステップＳ５２に戻り、以下、同様の処理が繰り返される。
【０１８８】
また、ステップＳ５２において、音声年輪データの再生時刻Ｔｓａ×Ｎａが、画像年輪データの再生時刻Ｔｓｖ×Ｎｖ、ローレゾ年輪データの再生時刻Ｔｓｌ×Ｎｌ、およびメタ年輪データの再生時刻Ｔｓｍ×Ｎｍのすべての時刻以下であると判定された場合、即ち、現在のタイミングが、注目音声年輪データの記録を行うべきタイミングである場合、ステップＳ５３に進み、以下、ステップＳ５３乃至Ｓ５９において、図５のステップＳ１３乃至１９における場合とそれぞれ同様の処理が行われ、音声データ記録タスクを終了する。
【０１８９】
これにより、図１８の音声データ記録タスクでも、図５の音声データ記録タスクにおける場合と同様に、光ディスク１１の物理的単位領域としての、例えば、セクタの整数倍のデータ量の音声年輪データが、その整数倍の数のセクタに、音声年輪データの境界と、光ディスク１１のセクタの境界とが一致するように、周期的に記録される。
【０１９０】
次に、図１９のフローチャートを参照して、図１７のステップＳ３４で開始される画像データ記録タスクについて説明する。
【０１９１】
画像データ記録タスクが開始されると、まず最初に、ステップＳ６１において、制御部２０は、後で行われるステップＳ６７の処理で、１ずつインクリメントされる変数Ｎｖを、例えば１に初期化し、ステップＳ６２に進む。
【０１９２】
ステップＳ６２では、制御部２０は、Ｔｓｖ×Ｎｖが、Ｔｓａ×Ｎａ未満であり、さらに、Ｔｓｖ×Ｎｖが、Ｔｓｌ×Ｎｌ以下で、かつＴｓｍ×Ｎｍ以下であるかどうかを判定する。
【０１９３】
ここで、上述したように、Ｔｓａ×Ｎａは、音声データを、音声年輪サイズＴｓａ単位で記録していった場合に、これから光ディスク１１に記録しようとしている音声年輪データの最後の再生時刻に相当し、Ｔｓｖ×Ｎｖは、画像データを、画像年輪サイズＴｓｖ単位で記録していった場合に、これから光ディスク１１に記録しようとしている画像年輪データの最後の再生時刻に相当する。そして、Ｔｓｖ×Ｎｖが、Ｔｓａ×Ｎａ未満であるというのは、図８のステップＳ２２で説明したように、これから記録しようとする画像年輪データである注目画像年輪データを、再生時刻Ｔｓａ×Ｎａ以前の最近の再生時間帯の音声年輪データが記録された直後に記録するための条件である。
【０１９４】
さらに、Ｔｓｖ×Ｎｖが、Ｔｓｌ×Ｎｌ以下であるというのは、図１８のステップＳ５２における場合と同様に、これから記録しようとする画像年輪データである注目画像年輪データ、即ち、再生時刻Ｔｓｖ×Ｎｖ以前の最近の（再生時刻Ｔｓｖ×Ｎｖに最も近い）再生時間帯の画像年輪データを、再生時刻Ｔｓｖ×Ｎｖ以前の最近の再生時間帯のローレゾ年輪データ直前、つまり、再生時刻Ｔｓｖ×Ｎｖ以前の２番目に新しい再生時間帯のローレゾ年輪データが記録された直後に記録するための条件である。
【０１９５】
また、Ｔｓｖ×Ｎｖが、Ｔｓｍ×Ｎｍ以下であるというのは、図１８のステップＳ５２における場合と同様に、これから記録しようとする画像年輪データである注目画像年輪データ、即ち、再生時刻Ｔｓｖ×Ｎｖ以前の最近の再生時間帯の画像年輪データを、再生時刻Ｔｓｖ×Ｎｖ以前の最近の再生時間帯のメタ年輪データ直前、つまり、再生時刻Ｔｓｖ×Ｎｖ以前の２番目に新しい再生時間帯のメタ年輪データが記録された直後に記録するための条件である。
【０１９６】
ステップＳ６２において、画像年輪データの再生時刻Ｔｓｖ×Ｎｖが、音声年輪データの再生時刻Ｔｓａ×Ｎａ未満、ローレゾ年輪データの再生時刻Ｔｓｌ×Ｎｌ以下、またはメタ年輪データの再生時刻Ｔｓｍ×Ｎｍ以下のうちのいずれかではないと判定された場合、即ち、現在のタイミングが、注目画像年輪データの記録を行うべきタイミングでない場合、ステップＳ６２に戻り、以下、同様の処理が繰り返される。
【０１９７】
また、ステップＳ６２において、画像年輪データの再生時刻Ｔｓｖ×Ｎｖが、音声年輪データの再生時刻Ｔｓａ×Ｎａ未満であり、さらに、ローレゾ年輪データの再生時刻Ｔｓｌ×Ｎｌ以下であり、かつメタ年輪データの再生時刻Ｔｓｍ×Ｎｍ以下であると判定された場合、即ち、現在のタイミングが、注目画像年輪データの記録を行うべきタイミングである場合、ステップＳ６３に進み、以下、ステップＳ６３乃至Ｓ６９において、図８のステップＳ２３乃至２９における場合とそれぞれ同様の処理が行われ、音声データ記録タスクを終了する。
【０１９８】
これにより、図１９の画像データ記録タスクでも、図８の画像データ記録タスクにおける場合と同様に、光ディスク１１の物理的単位領域としての、例えば、セクタの整数倍のデータ量の画像年輪データが、その整数倍の数のセクタに、画像年輪データの境界と、光ディスク１１のセクタの境界とが一致するように、周期的に記録される。
【０１９９】
次に、図２０のフローチャートを参照して、図１７のステップＳ３５で開始されるローレゾデータ記録タスクについて説明する。
【０２００】
ローレゾデータ記録タスクが開始されると、まず最初に、ステップＳ７１において、制御部２０は、後述するステップＳ７７の処理で、１ずつインクリメントされる変数Ｎｌを、例えば１に初期化し、ステップＳ７２に進む。
【０２０１】
ステップＳ７２では、制御部２０は、Ｔｓｌ×Ｎｌが、Ｔｓａ×Ｎａ未満であり、さらに、Ｔｓｌ×Ｎｌが、Ｔｓｖ×Ｎｖ未満で、かつＴｓｍ×Ｎｍ以下であるかどうかを判定する。
【０２０２】
ここで、Ｔｓｌ×Ｎｌが、Ｔｓａ×Ｎａ未満であるというのは、図８のステップＳ２２で説明した場合と同様に、これから記録しようとするローレゾ年輪データである注目ローレゾ年輪データを、再生時刻Ｔｓｌ×Ｎｌ以前の最近の再生時間帯の音声年輪データが記録された直後に記録するための条件である。また、Ｔｓｌ×Ｎｌが、Ｔｓｖ×Ｎｖ未満であるというのは、やはり、図８のステップＳ２２で説明した場合と同様に、これから記録しようとするローレゾ年輪データである注目ローレゾ年輪データを、再生時刻Ｔｓｌ×Ｎｌ以前の最近の再生時間帯の画像年輪データが記録された直後に記録するための条件である。
【０２０３】
さらに、Ｔｓｌ×Ｎｌが、Ｔｓｍ×Ｎｍ以下であるというのは、図１８のステップＳ５２における場合と同様に、これから記録しようとするローレゾ年輪データである注目ローレゾ年輪データ、即ち、再生時刻Ｔｓｌ×Ｎｌ以前の最近の（再生時刻Ｔｓｌ×Ｎｌに最も近い）再生時間帯のローレゾ年輪データを、再生時刻Ｔｓｌ×Ｎｌ以前の最近の再生時間帯のメタ年輪データ直前、つまり、再生時刻Ｔｓｌ×Ｎｌ以前の２番目に新しい再生時間帯のメタ年輪データが記録された直後に記録するための条件である。
【０２０４】
ステップＳ７２において、ローレゾ年輪データの再生時刻Ｔｓｌ×Ｎｌが、音声年輪データの再生時刻Ｔｓａ×Ｎａ未満、画像年輪データの再生時刻Ｔｓｖ×Ｎｖ未満、またはメタ年輪データの再生時刻Ｔｓｍ×Ｎｍ以下のうちのいずれかではないと判定された場合、即ち、現在のタイミングが、注目ローレゾ年輪データの記録を行うべきタイミングでない場合、ステップＳ７２に戻り、以下、同様の処理が繰り返される。
【０２０５】
また、ステップＳ７２において、ローレゾ年輪データの再生時刻Ｔｓｌ×Ｎｌが、音声年輪データの再生時刻Ｔｓａ×Ｎａ未満であり、さらに、画像年輪データの再生時刻Ｔｓｖ×Ｎｖ未満であり、かつメタ年輪データの再生時刻Ｔｓｍ×Ｎｍ以下であると判定された場合、即ち、現在のタイミングが、注目ローレゾ年輪データの記録を行うべきタイミングである場合、ステップＳ７３に進み、制御部２０は、データ変換部１９からメモリコントローラ１７を介して、メモリ１８に、ローレゾデータが供給されているか否かを判定し、供給されていると判定した場合、ステップＳ７４に進む。
【０２０６】
ステップＳ７４では、制御部２０は、メモリ１８に、通算して、ローレゾ年輪サイズＴｓｌ×Ｎｌ分の再生に必要なローレゾデータが記憶されたか否かを判定し、まだ、その分のローレゾデータがメモリ１８に記憶されていないと判定された場合、ステップＳ７２に戻り、以下、同様の処理が繰り返される。また、ステップＳ７４において、再生時間Ｔｓｌ×Ｎｌに対応する分のローレゾデータがメモリ１８に記憶されたと判定された場合、ステップＳ７５に進む。
【０２０７】
なお、データ変換部１９のデータ量検出部４２は、通算して、再生時間Ｔｓｌ×Ｎｌ分の再生に必要な画像信号および音声信号を検出したとき、その旨を、メモリコントローラ１７に通知する。メモリコントローラ１７は、その通知に基づいて、通算して、再生時間Ｔｓｌ×Ｎｌ分の再生に必要なローレゾデータをメモリ１８に記憶したか否かの判定を行い、その判定結果を制御部２０に通知する。そして、制御部２０は、メモリコントローラ１７からのその判定結果に基づいて、ステップＳ７４における判定処理を行う。なお、本実施の形態では、画像信号等のデータ量を少なくした画像信号等を圧縮符号したものを、ローレゾデータとするようにしたが、その他、画像信号等のデータ量を少なくした画像信号等を、そのまま、ローレゾデータとするようにすることも可能である。
【０２０８】
ステップＳ７５では、制御部２０は、メモリコントローラ１７を制御して、メモリ１８に記憶されているローレゾデータから、光ディスク１１上に形成される物理的記録再生単位（物理的単位領域）としての、例えば１つのセクタのデータ量Ｓｕの整数倍（ｎ倍）のデータ量であって、メモリ１８から読み出すことのできる最大のデータ量のローレゾデータを、時間的に先に入力された方から読み出させることにより抽出し、ステップＳ７６に進む。
【０２０９】
なお、このセクタの整数倍のデータ量であって、メモリ１８から読み出すことのできる最大のデータ量のローレゾデータとして、メモリ１８から読み出されるローレゾ年輪データが、上述した、再生時刻Ｔｓｌ×Ｎｌ以前の最近のローレゾ年輪データである。
【０２１０】
また、ステップＳ７５において読み出されなかったローレゾデータは、そのままメモリ１８に残される。
【０２１１】
ステップＳ７６では、制御部２０が、ステップＳ７５で得られた、セクタの整数倍のデータ量の注目ローレゾ年輪データを、メモリコントローラ１７から信号処理部１６に供給させ、これにより、そのセクタの整数倍のデータ量の注目ローレゾ年輪データが、その整数倍の数のセクタに記録されるように記録制御を行う。これにより、セクタの整数倍のデータ量のローレゾ年輪データが、その整数倍の数のセクタに、ローレゾ年輪データの境界と、光ディスク１１のセクタの境界とが一致するように記録される。
【０２１２】
その後、ステップＳ７７に進み、制御部２０は、変数Ｎｌを１だけインクリメントし、ステップＳ７２に戻り、以下、同様の処理を繰り返される。
【０２１３】
一方、ステップＳ７３において、ローレゾデータがメモリ１８に供給されていないと判定された場合、即ち、データ変換部１９からメモリコントローラ１７へのローレゾデータの供給が停止した場合、ステップＳ７８に進み、制御部２０は、メモリコントローラ１７を制御することにより、メモリ１８にいま残っているローレゾデータのすべてを読み出し、セクタの整数倍の最小のデータ量となるように、パディング用のパディングデータを付加する。これにより、メモリ１８から読み出したローレゾデータが、セクタの整数倍のデータ量のローレゾ年輪データとされる。さらに、制御部２０は、そのローレゾ年輪データを、メモリコントローラ１７から信号処理部１６に供給させ、これにより、そのセクタの整数倍のデータ量のローレゾ年輪データが、その整数倍の数のセクタに記録されるように記録制御を行う。
【０２１４】
その後、ステップＳ７９に進み、制御部２０は、変数Ｎｌに、無限大に相当する値をセットして、ローレゾデータ記録タスクを終了する。
【０２１５】
次に、図２１のフローチャートを参照して、図１７のステップＳ３６で開始されるメタデータ記録タスクについて説明する。
【０２１６】
メタデータ記録タスクが開始されると、まず最初に、ステップＳ８１において、制御部２０は、後述するステップＳ８７の処理で、１ずつインクリメントされる変数Ｎｌを、例えば１に初期化し、ステップＳ８２に進む。
【０２１７】
ステップＳ８２では、制御部２０は、Ｔｓｍ×Ｎｍが、Ｔｓａ×Ｎａ未満であり、さらに、Ｔｓｍ×Ｎｍが、Ｔｓｖ×Ｎｖ未満で、かつＴｓｌ×Ｎｌ未満であるかどうかを判定する。
【０２１８】
ここで、Ｔｓｍ×Ｎｍが、Ｔｓａ×Ｎａ未満であるというのは、図８のステップＳ２２で説明した場合と同様に、これから記録しようとするメタ年輪データである注目メタ年輪データを、再生時刻Ｔｓｍ×Ｎｍ以前の最近の再生時間帯の音声年輪データが記録された直後に記録するための条件である。また、Ｔｓｍ×Ｎｍが、Ｔｓｖ×Ｎｖ未満であるというのは、やはり、図８のステップＳ２２で説明した場合と同様に、これから記録しようとするメタ年輪データである注目メタ年輪データを、再生時刻Ｔｓｍ×Ｎｍ以前の最近の再生時間帯の画像年輪データが記録された直後に記録するための条件である。同様に、Ｔｓｍ×Ｎｍが、Ｔｓｌ×Ｎｌ未満であるというのは、これから記録しようとするメタ年輪データである注目メタ年輪データを、再生時刻Ｔｓｍ×Ｎｍ以前の最近の再生時間帯のローレゾ年輪データが記録された直後に記録するための条件である。
【０２１９】
ステップＳ８２において、メタ年輪データの再生時刻Ｔｓｍ×Ｎｍが、音声年輪データの再生時刻Ｔｓａ×Ｎａ未満、画像年輪データの再生時刻Ｔｓｖ×Ｎｖ未満、またはメタ年輪データの再生時刻Ｔｓｌ×Ｎｌ未満のうちのいずれかではないと判定された場合、即ち、現在のタイミングが、注目メタ年輪データの記録を行うべきタイミングでない場合、ステップＳ８２に戻り、以下、同様の処理が繰り返される。
【０２２０】
また、ステップＳ８２において、メタ年輪データの再生時刻Ｔｓｍ×Ｎｍが、音声年輪データの再生時刻Ｔｓａ×Ｎａ未満であり、さらに、画像年輪データの再生時刻Ｔｓｖ×Ｎｖ未満でもあり、かつローレゾ年輪データの再生時刻Ｔｓｌ×Ｎｌ未満であると判定された場合、即ち、現在のタイミングが、注目メタ年輪データの記録を行うべきタイミングである場合、ステップＳ８３に進み、制御部２０は、データ変換部１９からメモリコントローラ１７を介して、メモリ１８に、メタデータが供給されているか否かを判定し、供給されていると判定した場合、ステップＳ８４に進む。
【０２２１】
ステップＳ８４では、制御部２０は、メモリ１８に、通算して、メタ年輪サイズＴｓｍ×Ｎｍ分の再生に必要なメタデータが記憶されたか否かを判定し、まだ、その分のメタデータがメモリ１８に記憶されていないと判定された場合、ステップＳ８２に戻り、以下、同様の処理が繰り返される。また、ステップＳ８４において、再生時間Ｔｓｍ×Ｎｍに対応する分のメタデータがメモリ１８に記憶されたと判定された場合、ステップＳ８５に進む。
【０２２２】
なお、データ変換部１９のデータ量検出部４２は、通算して、再生時間Ｔｓｍ×Ｎｍ分の再生に必要な画像信号および音声信号を検出したとき、その旨を、メモリコントローラ１７に通知する。メモリコントローラ１７は、その通知に基づいて、通算して、再生時間Ｔｓｍ×Ｎｍ分の再生に必要なメタデータをメモリ１８に記憶したか否かの判定を行い、その判定結果を制御部２０に通知する。そして、制御部２０は、メモリコントローラ１７からのその判定結果に基づいて、ステップＳ８４における判定処理を行う。
【０２２３】
ステップＳ８５では、制御部２０は、メモリコントローラ１７を制御して、メモリ１８に記憶されているメタデータから、光ディスク１１上に形成される物理的記録再生単位（物理的単位領域）としての、例えば１つのセクタのデータ量Ｓｕの整数倍（ｎ倍）のデータ量であって、メモリ１８から読み出すことのできる最大のデータ量のメタデータを、時間的に先に入力された方から読み出させることにより抽出し、ステップＳ８６に進む。
【０２２４】
なお、このセクタの整数倍のデータ量であって、メモリ１８から読み出すことのできる最大のデータ量のメタデータとして、メモリ１８から読み出されるメタ年輪データが、上述した、再生時刻Ｔｓｍ×Ｎｍ以前の最近のメタ年輪データである。
【０２２５】
また、ステップＳ８５において読み出されなかったメタデータは、そのままメモリ１８に残される。
【０２２６】
ステップＳ８６では、制御部２０が、ステップＳ８５で得られた、セクタの整数倍のデータ量の注目メタ年輪データを、メモリコントローラ１７から信号処理部１６に供給させ、これにより、そのセクタの整数倍のデータ量の注目メタ年輪データが、その整数倍の数のセクタに記録されるように記録制御を行う。これにより、セクタの整数倍のデータ量のメタ年輪データが、その整数倍の数のセクタに、メタ年輪データの境界と、光ディスク１１のセクタの境界とが一致するように、周期的に記録される。
【０２２７】
その後、ステップＳ８７に進み、制御部２０は、変数Ｎｍを１だけインクリメントし、ステップＳ８２に戻り、以下、同様の処理を繰り返される。
【０２２８】
一方、ステップＳ８３において、メタデータがメモリ１８に供給されていないと判定された場合、即ち、データ変換部１９からメモリコントローラ１７へのメタデータの供給が停止した場合、ステップＳ８８に進み、制御部２０は、メモリコントローラ１７を制御することにより、メモリ１８にいま残っているメタデータのすべてを読み出し、そのデータ量がセクタの整数倍の最小のデータ量となるように、メタデータに、パディング用のパディングデータを付加する。これにより、メモリ１８から読み出したメタデータが、セクタの整数倍のデータ量のメタ年輪データとされる。さらに、制御部２０は、そのメタ年輪データを、メモリコントローラ１７から信号処理部１６に供給させ、これにより、そのセクタの整数倍のデータ量のメタ年輪データが、その整数倍の数のセクタに記録されるように記録制御を行う。
【０２２９】
その後、ステップＳ８９に進み、制御部２０は、変数Ｎｍに、無限大に相当する値をセットして、メタデータ記録タスクを終了する。
【０２３０】
なお、図１８の音声データ記録タスクにおけるステップＳ５２、図１９の画像データ記録タスクにおけるステップＳ６２、図２０のローレゾデータ記録タスクにおけるステップＳ７２、図２１のメタデータ記録タスクにおけるステップＳ８２それぞれの判定処理によって、同じような再生時間帯の音声年輪データ、画像年輪データ、ローレゾ年輪データ、およびメタ年輪データどうしが、音声年輪データ、画像年輪データ、ローレゾ年輪データ、メタ年輪データの順の優先順位で、光ディスク１１に周期的に記録される。
【０２３１】
但し、音声年輪データ、画像年輪データ、ローレゾ年輪データ、およびメタ年輪データを光ディスク１１に記録するときの優先順位は、上述した、音声年輪データ、画像年輪データ、ローレゾ年輪データ、メタ年輪データの順に限定されるものではない。
【０２３２】
次に、メモリコントローラ１７は、上述したように、メモリ１８からデータを読み出すことにより、音声年輪データ、画像年輪データ、ローレゾ年輪データ、メタ年輪データを抽出するが、この音声年輪データ、画像年輪データ、ローレゾ年輪データ、メタ年輪データを構成（抽出）する処理について、図２２乃至図２６を参照して、さらに説明する。
【０２３３】
図２２は、メモリ１８に記憶される音声データの通算のデータ量（通算データ量）Ｌａ、画像データの通算データ量Ｌｖ、ローレゾデータの通算データ量Ｌｌ、メタデータの通算データ量Ｌｍそれぞれと、時間（再生時間）ｔとの関係を示している。なお、図２２中（後述する図２３乃至図２６においても同様）、右側の上下方向を示す小さな矢印（水平方向の点線の間隔を示す矢印）は、セクタのデータ量Ｓｕを表している。
【０２３４】
上述したように、メモリコントローラ１７は、再生時間Ｔｓａ×Ｎａの再生に必要な音声データがメモリ１８に記憶されると、メモリ１８から読み出すことのできるセクタの整数倍の最大のデータ量の音声データを読み出し、そのセクタの整数倍の最大のデータ量の音声データを、音声年輪データとして抽出する。また、メモリコントローラ１７は、再生時間Ｔｓｖ×Ｎｖの再生に必要な画像データがメモリ１８に記憶されると、メモリ１８から読み出すことのできるセクタの整数倍の最大のデータ量の画像データを読み出し、そのセクタの整数倍の最大のデータ量の画像データを、画像年輪データとして抽出する。さらに、メモリコントローラ１７は、再生時間Ｔｓｌ×Ｎｌの再生に必要なローレゾデータがメモリ１８に記憶されると、メモリ１８から読み出すことのできるセクタの整数倍の最大のデータ量のローレゾデータを読み出し、そのセクタの整数倍の最大のデータ量のローレゾデータを、ローレゾ年輪データとして抽出する。また、メモリコントローラ１７は、再生時間Ｔｓｍ×Ｎｍの再生に必要なメタデータがメモリ１８に記憶されると、メモリ１８から読み出すことのできるセクタの整数倍の最大のデータ量のメタデータを読み出し、そのセクタの整数倍の最大のデータ量のメタデータを、メタ年輪データとして抽出する。
【０２３５】
従って、図２２に示したように、メモリ１８に記憶される音声データの通算データ量Ｌａが変化する場合には、メモリコントローラ１７は、図２３に示すように、時刻ｔが、音声年輪サイズＴｓａの整数倍であるｉ×Ｔｓａとなるタイミングで（ｉ＝１，２，・・・）、メモリ１８から読み出すことのできるセクタの整数倍の最大のデータ量の音声データを読み出し、そのセクタの整数倍の最大のデータ量の音声データを、音声年輪データとして抽出する。
【０２３６】
ここで、図２３の実施の形態では、時刻ｔが、Ｔｓａ，２×Ｔｓａ，３×Ｔｓａ，４×Ｔｓａのタイミングにおいて、それぞれ、１セクタ、２セクタ、１セクタ、２セクタ分の音声データが、音声年輪データ＃１，＃２，＃３，＃４として抽出されている。
【０２３７】
また、図２２に示したように、メモリ１８に記憶される画像データの通算データ量Ｌｖが変化する場合には、メモリコントローラ１７は、図２４に示すように、時刻ｔが、画像年輪サイズＴｓｖの整数倍であるｉ×Ｔｓｖとなるタイミングで、メモリ１８から読み出すことのできるセクタの整数倍の最大のデータ量の画像データを読み出し、そのセクタの整数倍の最大のデータ量の画像データを、画像年輪データとして抽出する。
【０２３８】
ここで、図２４の実施の形態では、時刻ｔが、Ｔｓｖ，２×Ｔｓｖ，３×Ｔｓｖ，４×Ｔｓｖのタイミングにおいて、それぞれ、４セクタ、２セクタ、５セクタ、２セクタ分の画像データが、画像年輪データ＃１，＃２，＃３，＃４として抽出されている。
【０２３９】
さらに、図２２に示したように、メモリ１８に記憶されるローレゾデータの通算データ量Ｌｌが変化する場合には、メモリコントローラ１７は、図２５に示すように、時刻ｔが、ローレゾ年輪サイズＴｓｌの整数倍であるｉ×Ｔｓｌとなるタイミングで、メモリ１８から読み出すことのできるセクタの整数倍の最大のデータ量のローレゾデータを読み出し、そのセクタの整数倍の最大のデータ量のローレゾデータを、ローレゾ年輪データとして抽出する。
【０２４０】
ここで、図２５の実施の形態では、時刻ｔが、Ｔｓｌ，２×Ｔｓｌのタイミングにおいて、それぞれ、１セクタ、３セクタ分のローレゾデータが、ローレゾ年輪データ＃１，＃２として抽出されている。
【０２４１】
また、図２２に示したように、メモリ１８に記憶されるメタデータの通算データ量Ｌｍが変化する場合には、メモリコントローラ１７は、図２６に示すように、時刻ｔが、メタ年輪サイズＴｓｍの整数倍であるｉ×Ｔｓｍとなるタイミングで、メモリ１８から読み出すことのできるセクタの整数倍の最大のデータ量のメタデータを読み出し、そのセクタの整数倍の最大のデータ量のメタデータを、メタ年輪データとして抽出する。
【０２４２】
ここで、図２６の実施の形態では、時刻ｔが、Ｔｓｍ，２×Ｔｓｍのタイミングにおいて、いずれも、１セクタ分のメタデータが、メタ年輪データ＃１，＃２としてそれぞれ抽出されている。
【０２４３】
いま、図２３に示した音声年輪サイズＴｓａ、図２４に示した画像年輪サイズＴｓｖ、図２５に示したローレゾ年輪サイズＴｓｌ、および図２６に示したメタ年輪サイズＴｓｍについて、例えば、画像年輪サイズＴｓｖが、音声年輪サイズＴｓａと等しく、ローレゾ年輪サイズＴｓｌおよびメタ年輪サイズＴｓｍが、音声年輪サイズＴｓａの２倍に等しいという関係があるとすると（２×Ｔｓａ＝２×Ｔｓｖ＝Ｔｓｌ＝Ｔｓｍ）、図１８の音声データ記録タスク、図１９の画像データ記録タスク、図２０のローレゾデータ記録タスク、および図２１のメタデータ記録タスクによれば、図２３の音声年輪データ＃１乃至＃４、図２４の画像年輪データ＃１乃至＃４、図２５のローレゾ年輪データ＃１および＃２、図２６のメタ年輪データ＃１および＃２は、図２７に示すように、光ディスク１１に周期的に記録される。
【０２４４】
即ち、上述したように、同じような再生時間帯の音声年輪データ、画像年輪データ、ローレゾ年輪データ、およびメタ年輪データについては、上述したように、音声年輪データ、画像年輪データ、ローレゾ年輪データ、メタ年輪データの順の優先順位で、光ディスク１１のより前の位置に記録される。
【０２４５】
さらに、例えば、最も優先順位が高い音声年輪データを基準に考えると、音声年輪サイズＴｓａと同一の画像年輪サイズＴｓｖの画像年輪データについては、音声年輪データと同一の周期で光ディスク１１に記録される。即ち、ある再生時間帯の音声年輪データが記録されれば、その音声年輪データに続いて、その再生時間帯と同じような再生時間帯の画像年輪データが記録される。
【０２４６】
また、音声年輪サイズＴｓａの２倍となっているローレゾ年輪サイズＴｓｌのローレゾ年輪については、音声年輪データの２倍の周期で光ディスク１１に記録される。即ち、ある再生時間帯のローレゾ年輪データについては、その再生時間帯を２分するような２つの再生時間帯の音声年輪データが存在し、その２つの再生時間帯の音声年輪データが記録された後に記録される。
【０２４７】
さらに、音声年輪サイズＴｓａの２倍となっているメタ年輪サイズＴｓｍのメタ年輪については、やはり、音声年輪データの２倍の周期で光ディスク１１に記録される。即ち、ある再生時間帯のメタ年輪データについては、その再生時間帯を２分するような２つの再生時間帯の音声年輪データが存在し、その２つの再生時間帯の音声年輪データが記録された後に記録される。
【０２４８】
以上から、図２３の音声年輪データ＃１乃至＃４、図２４の画像年輪データ＃１乃至＃４、図２５のローレゾ年輪データ＃１および＃２、図２６のメタ年輪データ＃１および＃２は、図２７に示すように、その光ディスク１１の内周側から外周側に向かって、音声年輪データ＃１、画像年輪データ＃１、音声年輪データ＃２、画像年輪データ＃２、ローレゾ年輪データ＃１、メタ年輪データ＃１、音声年輪データ＃３、画像年輪データ＃３、音声年輪データ＃４、画像年輪データ＃４、ローレゾ年輪データ＃２、メタ年輪データ＃２，・・・の順番で記録される。
【０２４９】
なお、図２２乃至図２７の実施の形態では、画像年輪サイズＴｓｖと音声年輪サイズＴｓａと等しくし、ローレゾ年輪サイズＴｓｌおよびメタ年輪サイズＴｓｍを、音声年輪サイズＴｓａの２倍とするようにしたが、音声年輪サイズＴｓａ、画像年輪サイズＴｓｖ、ローレゾ年輪サイズＴｓｌ、メタ年輪サイズＴｓｍそれぞれどうしの関係は、これに限定されるものではない。即ち、音声年輪サイズＴｓａ、画像年輪サイズＴｓｖ、ローレゾ年輪サイズＴｓｌ、メタ年輪サイズＴｓｍは、例えば、すべて同一の時間とすることもできるし、すべて異なる時間とすることなども可能である。
【０２５０】
また、音声年輪サイズＴｓａ、画像年輪サイズＴｓｖ、ローレゾ年輪サイズＴｓｌ、およびメタ年輪サイズＴｓｍは、例えば、光ディスク１１の用途や使用目的にあわせて設定することが可能である。
【０２５１】
即ち、ローレゾ年輪サイズＴｓｌや、メタ年輪サイズＴｓｍは、例えば、音声年輪サイズＴｓａおよび画像年輪サイズＴｓｖよりも大とすることが可能である。
【０２５２】
ローレゾ年輪サイズＴｓｌを、音声年輪サイズＴｓａおよび画像年輪サイズＴｓｖよりも大とした場合（例えば、音声年輪サイズＴｓａおよび画像年輪サイズＴｓｖが２秒であるのに対して、ローレゾ年輪サイズＴｓｌを１０秒とした場合）には、例えば、ローレゾデータによるシャトル再生速度や、コンピュータなどの外部の装置へのローレゾデータの転送速度を向上させることができる。
【０２５３】
即ち、ローレゾデータは、本線データよりもデータ量が少ないため、光ディスク１１からの読み出しを短時間で行うことができ、さらに、処理負担も少ないので、シャトル再生などの変速再生に利用することができる。そして、ローレゾ年輪サイズＴｓｌを大とする場合には、光ディスク１１からローレゾデータだけを読み出すときに生じるシークの頻度を少なくすることができるから、光ディスク１１からのローレゾデータだけの読み出しを、より短時間で行うことが可能となり、そのローレゾデータを利用したシャトル再生を行うときには、シャトル再生の速度を向上させることができる。さらに、ローレゾデータをコンピュータなどに転送して処理する場合には、その転送速度を向上させる（転送に要する時間を短くする）ことができる。
【０２５４】
また、メタ年輪サイズＴｓを、音声年輪サイズＴｓａおよび画像年輪サイズＴｓｖよりも大とした場合（例えば、音声年輪サイズＴｓａおよび画像年輪サイズＴｓｖが２秒であるのに対して、メタ年輪サイズＴｓｍを２０秒とした場合）には、ローレゾ年輪サイズＴｓｌを大とした場合と同様に、光ディスク１１からメタデータだけを短時間で読み出すことができる。従って、例えば、そのメタデータに含まれるタイムコードなどを用いて、本線データである画像信号の特定のフレームの検索などを、高速で行うことが可能となる。
【０２５５】
従って、ローレゾデータのシャトル再生や外部への転送を高速で行うことが要求される場合には、ローレゾ年輪サイズＴｓｌを大にすることにより、また、フレームの検索の高速性が要求される場合には、メタ年輪サイズＴｓを大とすることにより、その要求に応えた利便性の高い光ディスク１１を提供することが可能となる。
【０２５６】
以上のように、ローレゾ年輪サイズＴｓｌや、メタ年輪サイズＴｓｍを大とすることにより、ローレゾデータやメタデータだけなどの特定のデータ系列の読み出しに要する時間（さらには、書き込みに要する時間も）を短縮することができる。
【０２５７】
従って、音声年輪サイズＴｓａや、画像年輪サイズＴｓｖを大とした場合には、やはり、本線データとしての音声データや画像データだけの読み出し（さらには、書き込み）に要する時間を短縮することができる。その結果、音声データまたは画像データだけを編集する、いわゆるＡＶ（Ａｕｄｉｏ　Ｖｉｓｕａｌ）スプリット編集を行う場合には、その編集処理の高速化を図ることができる。
【０２５８】
但し、画像と音声の再生を行う場合、その再生を開指するには、各再生時刻の画像データと、その画像データに付随する音声データとが揃うまで待つ必要がある。音声年輪サイズＴｓａや、画像年輪サイズＴｓｖを大とすると、その大きな音声年輪サイズＴｓａの音声データまたは画像年輪サイズＴｓｖの画像データのうちの一方を読み出し、さらに、その後に、他方を読み出さなければならず、ある再生時刻の画像データと、その画像データに付随する音声データとが揃うまでの時間が大となって、再生が指令されてから、実際に再生が開始されるまでの遅延時間が大となる。さらに、ある再生時刻の画像データと、その画像データに付随する音声データとを同時に再生するために、大きな音声年輪サイズＴｓａの音声データまたは画像年輪サイズＴｓｖの画像データのうちの先に読み出される方は、少なくとも、後に読み出される方の読み出しが開始されるまで、メモリ１８に記憶しておく必要がある。以上から、音声年輪サイズＴｓａや、画像年輪サイズＴｓｖを大とすると、再生が開始されるまでの遅延時間が大となる他、メモリ１８として、容量の大きなものが必要となる。
【０２５９】
従って、音声年輪サイズＴｓａと画像年輪サイズＴｓｖは、再生が開始されるまでの遅延時間や、メモリ１８の容量として許容される値を考慮して決めるのが望ましい。
【０２６０】
なお、ローレゾデータやメタデータは、音声データや画像データに比較してデータ量が十分小さいので、ローレゾ年輪サイズＴｓｌやメタ年輪サイズＴｓｍを大としても、音声年輪サイズＴｓａや画像年輪サイズＴｓｖを大とした場合に比較して、メモリ１８に必要とされる容量の増加は、それほど問題とならない。
【０２６１】
次に、図２８は、ディスク記録再生装置１０によって、光ディスク１１に対するデータの読み書きが行われる様子を示している。なお、図２８では、光ディスク１１に対して、音声データ、画像データ、ローレゾデータ、およびローレゾデータの４つのデータ系列の読み書きが行われるものとしてある。
【０２６２】
光ディスク１１にデータが書き込まれる場合には、光ディスク１１に十分な大きさの連続した空き領域が存在し、その空き領域に、欠陥（ディフェクト）がないとすれば、音声データ、画像データ、ローレゾデータ、メタデータのデータ系列それぞれから抽出された音声年輪データ、画像年輪データ、ローレゾ年輪データ、メタ年輪データは、図２８Ａに示すように、光ディスク１１上の空き領域に、いわば一筆書きをするように書き込まれる。なお、音声年輪データ、画像年輪データ、ローレゾ年輪データ、およびメタ年輪データは、いずれも、光ディスク１１１のセクタの整数倍のデータ量を有し、さらに、そのデータの境界と、セクタの境界とが一致するように記録される。
【０２６３】
一方、光ディスク１１から、ある特定のデータ系列を読み出す場合には、図２８Ｂに示すように、そのデータ系列のデータの記録位置にシークし、そのデータを読み出すことが繰り返される。なお、図２８Ｂでは、ローレゾデータだけの読み出しが行われる様子を示してある。
【０２６４】
上述したように、音声年輪データ、画像年輪データ、ローレゾ年輪データ、およびメタ年輪データは、いずれも、光ディスク１１１のセクタの整数倍のデータ量を有し、さらに、そのデータの境界と、セクタの境界とが一致するように記録されているので、音声年輪データ、画像年輪データ、ローレゾ年輪データ、またはメタ年輪データのうちのいずれかの特定のデータだけが必要な場合、他のデータの読み出しを行うことなく、その特定のデータだけを読み出すことができる。
【０２６５】
なお、以上においては、図２９Ａに示すように、光ディスク１１に対して、音声データと画像データの２つのデータ系列を記録する場合と、図２９Ｂに示すように、光ディスク１１に対して、音声データ、画像データ、ローレゾデータ、およびメタデータの４つのデータ系列を記録する場合について説明したが、光ディスク１１には、その他の数のデータ系列を記録することが可能である。即ち、光ディスク１１には、例えば、図２９Ｃに示すように、音声データと画像データとが、例えば１フレーム分ごとに多重化されて１つのデータ系列となっている画像／音声混在データ、ローレゾデータ、およびメタデータの３つのデータ系列を記録するようにすることが可能である。
【０２６６】
また、本実施の形態では、メモリコントローラ１７において、音声年輪サイズＴｓａの整数倍の時刻ごとに、セクタなどの物理的単位領域の整数倍のデータ量であって、メモリ１８から読み出すことのできる最大のデータ量の音声データを読み出すことによって、音声年輪データを抽出するようにしたが、即ち、音声年輪サイズＴｓａの整数倍の時刻において、メモリ１８に、Ｎセクタより大であるが、Ｎ＋１セクタより小のデータ量の音声データが記憶されている場合に、Ｎセクタのデータ量の音声データを、音声年輪データとして抽出するようにしたが、その他、例えば、音声年輪サイズＴｓａの整数倍の時刻となった後、Ｎ＋１セクタ以上のデータ量の音声データがメモリ１８に記憶されるのを待って、Ｎ＋１セクタのデータ量の音声データを読み出すことにより、音声年輪データを抽出するようにすることが可能である。画像年輪データや、ローレゾ年輪データ、メタ年輪データの抽出についても、同様である。即ち、年輪データのデータ量は、物理的単位領域の整数倍のデータ量であって、かつ音声年輪サイズ等として設定された再生時間分の再生に必要なデータ量に近いデータ量であればよい。
【０２６７】
さらに、メタデータについては、そのすべての構成要素を、メタ年輪データに含める他、その一部の構成要素だけをメタ年輪データに含め、他の構成要素は、メタ年輪データとは別に記録するようにすることが可能である。即ち、メタデータについては、例えば、タイムコードなどの、画像信号のフレームなどの検索に用いることのできる構成要素と、その他の構成要素とに分けて、検索に用いることのできる構成要素は、例えば、光ディスク１１の内周側などにまとめて記録し、その他の構成要素は、メタ年輪データに含めて、光ディスク１１に周期的に記録することが可能である。この場合、検索に用いることのできる構成要素が、光ディスク１１にまとめて記録されるので、検索に要する時間を短縮することができる。
【０２６８】
なお、メタデータについては、そのすべての構成要素を、光ディスク１１の内周側などにまとめて記録しても良い。但し、メタデータのすべての構成要素を、光ディスク１１の内周側などにまとめて記録する場合には、その記録が終了するまで、メタデータ以外のデータ系列の記録を待つ必要があるか、あるいは、メタデータ以外のデータ系列の記録が終了するまで、メタデータのすべての構成要素を記憶しておく必要がある。これに対して、メタデータのうちの検索に用いることのできる構成要素だけを、光ディスク１１にまとめて記録する場合には、メタデータのすべての構成要素を、光ディスク１１にまとめて記録する場合に比較して、メタデータ以外のデータ系列の記録を待つ時間を短くし、あるいは、メタデータ以外のデータ系列の記録が終了するまで記憶しておく必要のあるメタデータのデータ量を低減することができる。
【０２６９】
また、本実施の形態では、音声年輪データなどの年輪データのデータ量を、セクタなどの物理的単位領域の整数倍の値とし、さらに、年輪データを、その年輪データの境界と、物理的単位領域の境界とが一致するように、光ディスク１１に記録するようにしたが、年輪データのデータ量は、物理的単位領域の整数倍の値とは異なる値であっても良く、さらに、年輪データは、その年輪データの境界と、物理的単位領域の境界とを一致させずに、光ディスク１１に記録することも可能である。但し、この場合、１つのセクタに、異なるデータ系列のデータが混在することが生じうることになる。
【０２７０】
または本発明は、光ディスク以外のディスク状記録媒体に適用することができる。
【０２７１】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述したディスク記録再生装置１０が機能的に実現される。
【０２７２】
図３０は、上述のようなディスク記録再生装置１０として機能するコンピュータ１０１の一実施の形態の構成を示すブロック図である。ＣＰＵ（Ｃｅｎｔｒａｌ　Ｐｒｏｃｅｓｓｉｎｇ　Ｕｎｉｔ）１１１にはバス１１５を介して入出力インタフェース１１６が接続されており、ＣＰＵ１１１は、入出力インタフェース１１６を介して、ユーザから、キーボード、マウスなどよりなる入力部１１８から指令が入力されると、例えば、ＲＯＭ（Ｒｅａｄ　Ｏｎｌｙ　Ｍｅｍｏｒｙ）１１２、ハードディスク１１４、またはドライブ１２０に装着される磁気ディスク１３１、光ディスク１３２、光磁気ディスク１３３、若しくは半導体メモリ１３４などの記録媒体に格納されているプログラムを、ＲＡＭ（Ｒａｎｄｏｍ　Ａｃｃｅｓｓ　Ｍｅｍｏｒｙ）１１３にロードして実行する。これにより、上述した各種の処理が行われる。さらに、ＣＰＵ１１１は、その処理結果を、例えば、入出力インタフェース１１６を介して、ＬＣＤ（Ｌｉｑｕｉｄ　Ｃｒｙｓｔａｌ　Ｄｉｓｐｌａｙ）などよりなる出力部１１７に必要に応じて出力する。なお、プログラムは、ハードディスク１１４やＲＯＭ１１２に予め記憶しておき、コンピュータ１０１と一体的にユーザに提供したり、磁気ディスク１３１、光ディスク１３２、光磁気ディスク１３３，半導体メモリ１３４等のパッケージメディアとして提供したり、衛星、ネットワーク等から通信部１１９を介してハードディスク１１４に提供することができる。
【０２７３】
なお、本明細書において、プログラムを記述するステップは、上述したフローチャートに記載された順序に沿って時系列的に行われる処理はもちろん、必ずしも時系列的に処理されなくとも、並列的あるいは個別に実行される処理をも含むものである。
【０２７４】
【発明の効果】
以上の如く、本発明によれば、例えば、編集処理を迅速に行うことができるようにする等の、記録媒体の利便性を向上させることができる。
【図面の簡単な説明】
【図１】従来の記録方法を説明する図である。
【図２】本発明を適用したディスク記録再生装置１０の構成例を示すブロック図である。
【図３】データ変換部１９の構成例を示すブロック図である。
【図４】制御部２０による記録処理を説明するフローチャートである。
【図５】音声データ記録タスクを説明するフローチャートである。
【図６】音声データの通算データ量Ｌａと画像データの通算データ量Ｌｖの変化を表す図である。
【図７】光ディスク１１における音声データおよび画像データの記録状態を表す図である。
【図８】画像データ記録タスクを説明するフローチャートである。
【図９】音声データの通算データ量Ｌａと画像データの通算データ量Ｌｖの変化を表す図である。
【図１０】光ディスク１１における音声データおよび画像データの記録状態を表す図である。
【図１１】シーク動作を示す図である。
【図１２】光ディスク１１における音声データおよび画像データの他の記録状態を表す図である。
【図１３】メモリ１８に対して読み書きされる通算データ量を示す図である。
【図１４】メモリ１８に対して読み書きされる通算データ量を示す図である。
【図１５】メモリ１８に書き込まれる画像データの通算データ量の変化の詳細を示す図である。
【図１６】データ変換部１９の他の構成例を示すブロック図である。
【図１７】制御部２０による記録処理を説明するフローチャートである。
【図１８】音声データ記録タスクを説明するフローチャートである。
【図１９】画像データ記録タスクを説明するフローチャートである。
【図２０】ローレゾデータ記録タスクを説明するフローチャートである。
【図２１】メタデータ記録タスクを説明するフローチャートである。
【図２２】メモリ１８に記憶されるデータの通算データ量を示す図である。
【図２３】メモリ１８に記憶されるデータの通算データ量を示す図である。
【図２４】メモリ１８に記憶されるデータの通算データ量を示す図である。
【図２５】メモリ１８に記憶されるデータの通算データ量を示す図である。
【図２６】メモリ１８に記憶されるデータの通算データ量を示す図である。
【図２７】光ディスク１１におけるデータの記録状態を示す図である。
【図２８】光ディスク１１に対してデータが読み書きされる様子を示す図である。
【図２９】光ディスク１１に記録するデータを説明する図である。
【図３０】パーソナルコンピュータ１０１の構成例を示すブロック図である。
【符号の説明】
１１　光ディスク，　１２　スピンドルモータ，　１３　ピックアップ部，　１４　ＲＦアンプ，　１５　サーボ制御部，　１６　信号処理部，　１７　メモリコントローラ，　１８　メモリ，　１９　データ変換部，　２０　制御部，　２１　操作部，　３１　信号入出力装置，　４１　デマルチプレクサ，　４２　データ量検出部，　４３　画像信号変換部，　４４　音声信号変換部，　４５　画像データ変換部，　４６　音声データ変換部，　５１　メタデータ処理部，　５２　ローレゾデータ生成部，　５３　メタデータ処理部，　５４　ローレゾデータ処理部
【図１】
2004005895.tif 000003
【図２】
2004005895.tif 000004
【図３】
2004005895.tif 000005
【図４】
2004005895.tif 000006
【図５】
2004005895.tif 000007
【図６】
2004005895.tif 000008
【図７】
2004005895.tif 000009
【図８】
2004005895.tif 000010
【図９】
2004005895.tif 000011
【図１０】
2004005895.tif 000012
【図１１】
2004005895.tif 000013
【図１２】
2004005895.tif 000014
【図１３】
2004005895.tif 000015
【図１４】
2004005895.tif 000016
【図１５】
2004005895.tif 000017
【図１６】
2004005895.tif 000018
【図１７】
2004005895.tif 000019
【図１８】
2004005895.tif 000020
【図１９】
2004005895.tif 000021
【図２０】
2004005895.tif 000022
【図２１】
2004005895.tif 000023
【図２２】
2004005895.tif 000024
【図２３】
2004005895.tif 000025
【図２４】
2004005895.tif 000026
【図２５】
2004005895.tif 000027
【図２６】
2004005895.tif 000028
【図２７】
2004005895.tif 000029
【図２８】
2004005895.tif 000030
【図２９】
2004005895.tif 000031
【図３０】
2004005895.tif 000032